(57)【要約】  本開示は、無線通信システムにおける電子デバイス及び無線通信方法に関する。電子デバイスは１つ又は複数の処理回路を含み、当該処理回路は、予定の地理的エリア内のスモールセル基地局のオン／オフ状態を取得し、取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めするという動作を実行するように配置されている。本開示による電子デバイス及び無線通信方法を使用することにより、既存のＰＲＳ信号を再配置することができて、位置決め精度を向上させる作用を奏しているとともに、位置決め過程を高速化するという目的を達成することができる。【選択図】図１
2018517357.tif 000002
【特許請求の範囲】
【請求項１】
１つ又は複数の処理回路を備え、
前記処理回路は、
予定の地理的エリア内のスモールセル基地局のオン／オフ状態を取得し、
取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めする、という動作を実行するように配置されている、無線通信システムにおける電子デバイス。
【請求項２】
前記ＰＲＳの再配置情報は、アクティブ状態のスモールセル基地局のＰＲＳ送信サイクルを含み、
前記処理回路は、さらに、前記予定の地理的エリア内のスモールセル基地局に対して前記予定の地理的エリア内のスリープスモールセル基地局が占める割合に基づいて、前記アクティブ状態のスモールセル基地局のＰＲＳ送信サイクルを調整するように配置されている、請求項１に記載の電子デバイス。
【請求項３】
前記処理回路は、前記割合が第１閾値より大きい場合に、前記アクティブ状態のスモールセル基地局のＰＲＳ送信サイクルを短縮し、前記割合が第２閾値より小さい場合に、前記アクティブ状態のスモールセル基地局のＰＲＳ送信サイクルを増加する、請求項２に記載の電子デバイス。
【請求項４】
前記ＰＲＳの再配置情報は、前記予定の地理的エリア内のスリープスモールセル基地局のＰＲＳの配置補助情報を含み、
前記処理回路は、さらに、前記スリープスモールセル基地局のＰＲＳを送信する時間周波数リソースをアイドルリソースとして、アクティブ状態のスモールセル基地局に割り当てるように配置されている、請求項１に記載の電子デバイス。
【請求項５】
前記処理回路は、前記アクティブ状態のスモールセル基地局の優先順位に基づいて、前記アイドルリソースを前記アクティブ状態のスモールセル基地局に割り当てる、請求項４に記載の電子デバイス。
【請求項６】
前記処理回路は、次のように前記優先順位を確定し、
各ユーザー機器の大まかな地理位置に基づいて、各ユーザー機器を位置決めするためのアクティブ状態のスモールセル基地局を確定し、
予定の時間内において、各ユーザー機器を位置決めするためのアクティブ状態のスモールセル基地局の出現回数を計数し、
計数の結果に基づいて、前記優先順位を確定する、請求項５に記載の電子デバイス。
【請求項７】
前記ＰＲＳの再配置情報は、発見参照信号ＤＲＳにおいて前記ＰＲＳを配置することを指示する統合情報を含み、
前記処理回路は、さらに、予定の時間内における各ユーザー機器を位置決めするためのスリープスモールセル基地局の出現回数に基づいて、前記統合情報を生成するように配置されている、請求項１に記載の電子デバイス。
【請求項８】
前記統合情報は、前記ＰＲＳの前記ＤＲＳにおける配置位置を指示する位置情報を含み、
前記処理回路は、さらに、前記ＤＲＳの配置情報に基づいて、前記位置情報を生成するように配置されている、請求項７に記載の電子デバイス。
【請求項９】
前記電子デバイスは、コアネットワークにおける位置決めサーバーである、請求項１〜請求項８のいずれか１項に記載の電子デバイス。
【請求項１０】
１つ又は複数の処理回路を備え、
前記処理回路は、
制御装置からの位置決め参照信号ＰＲＳの再配置情報を確定し、なお、前記ＰＲＳの再配置情報は、発見参照信号ＤＲＳにおいて前記ＰＲＳを配置することを指示する統合情報を含み、
前記統合情報に基づいて前記ＤＲＳを再配置して、ユーザー機器を位置決めする、という動作を実行するように配置されている、無線通信システムにおける電子デバイス。
【請求項１１】
前記統合情報は、前記ＰＲＳの前記ＤＲＳにおける配置位置を指示する位置情報を含み、
前記処理回路は、さらに、前記位置情報に基づいて、前記ＤＲＳを再配置するように配置されている、請求項１０に記載の電子デバイス。
【請求項１２】
前記処理回路は、前記ＰＲＳを、前記ＤＲＳにおいて１、２、又は４サブフレームを占めるように配置する、請求項１０に記載の電子デバイス。
【請求項１３】
前記処理回路は、前記ＰＲＳのサイクルを、前記ＤＲＳのサイクルのｎ倍に配置し、ｎは自然数である、請求項１０に記載の電子デバイス。
【請求項１４】
前記電子デバイスは、オフ状態にあるスモールセル基地局であって、且つ、エアインターフェースによって前記ＤＲＳを送信するように配置されている送受信機をさらに含む、請求項１０〜請求項１３のいずれか１項に記載の電子デバイス。
【請求項１５】
１つ又は複数の処理回路を備え、
前記処理回路は、
制御装置からの位置決め参照信号ＰＲＳの再配置情報を確定し、なお、前記ＰＲＳの再配置情報は、スリープスモールセル基地局のＰＲＳ配置補助情報を含み、
前記ＰＲＳ配置補助情報に基づいて前記ＰＲＳを再配置して、アイドルリソースである前記スリープスモールセル基地局のＰＲＳを送信する時間周波数リソースを利用してユーザー機器を位置決めする、という動作を実行するように配置されている、無線通信システムにおける電子デバイス。
【請求項１６】
前記ＰＲＳ配置補助情報は、前記スリープスモールセル基地局がＰＲＳを送信するリソース粒子に関する具体的な位置情報である、請求項１５に記載の電子デバイス。
【請求項１７】
前記ＰＲＳ配置補助情報は、前記スリープスモールセル基地局に関するＰＲＳ配置情報である、請求項１５に記載の電子デバイス。
【請求項１８】
前記処理回路は、さらに、
前記制御装置からのリソース解放情報を確定し、なお、前記リソース解放情報は、前記スリープスモールセル基地局がオンされたことを指示し、
前記リソース解放情報に基づいて前記ＰＲＳを再配置して、前記スリープスモールセル基地局のＰＲＳを送信する時間周波数リソースを解放する、という動作を実行するように配置されている、請求項１５に記載の電子デバイス。
【請求項１９】
前記電子デバイスは、オン状態にあるスモールセル基地局であって、且つ、エアインターフェースによって前記ＰＲＳを送信するように配置されている送受信機をさらに含む、請求項１５〜請求項１８のいずれか１項に記載の電子デバイス。
【請求項２０】
１つ又は複数の処理回路を備え、
前記処理回路は、
ユーザー機器に使用される位置決め測定補助データを確定し、なお、前記補助データは、スモールセル基地局の位置決め参照信号ＰＲＳの再配置情報を含み、
前記補助データに基づいて前記スモールセル基地局が送信するＰＲＳを位置決め測定し、
前記スモールセル基地局が送信するＰＲＳを位置決め測定した結果に基づいて、位置決め情報を生成して、前記ユーザー機器を位置決めする、という動作を実行するように配置されている、無線通信システムにおける電子デバイス。
【請求項２１】
前記ＰＲＳの再配置情報は、アクティブ状態のスモールセル基地局のＰＲＳ送信サイクルを含む、請求項２０に記載の電子デバイス。
【請求項２２】
前記ＰＲＳの再配置情報は、スリープスモールセル基地局が送信する発見参照信号ＤＲＳにおいて前記ＰＲＳを配置することを指示する統合情報を含む、請求項２０に記載の電子デバイス。
【請求項２３】
前記処理回路は、さらに、前記スリープスモールセル基地局のＤＲＳを探測して、それからＰＲＳを抽出して位置決め測定するように配置されている、請求項２２に記載の電子デバイス。
【請求項２４】
前記電子デバイスは、前記ユーザー機器であって、且つ、エアインターフェースによってネットワーク機器から前記位置決め測定補助データを受信し、前記ネットワーク機器へ前記位置決め情報を送信するように配置されている送受信機をさらに含む、請求項２０〜請求項２３のいずれか１項に記載の電子デバイス。
【請求項２５】
予定の地理的エリア内のスモールセル基地局のオン／オフ状態を取得し、
取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めする、ことを含む、無線通信システムにおいて無線通信を行うための方法。
【請求項２６】
制御装置からの位置決め参照信号ＰＲＳの再配置情報を確定し、なお、前記ＰＲＳの再配置情報は、発見参照信号ＤＲＳにおいて前記ＰＲＳを配置することを指示する統合情報を含み、
前記統合情報に基づいて前記ＤＲＳを再配置して、ユーザー機器を位置決めする、ことを含む、無線通信システムにおいて無線通信を行うための方法。
【請求項２７】
制御装置からの位置決め参照信号ＰＲＳの再配置情報を確定し、なお、前記ＰＲＳの再配置情報は、スリープスモールセル基地局のＰＲＳ配置補助情報を含み、
前記ＰＲＳ配置補助情報に基づいて前記ＰＲＳを再配置して、アイドルリソースである前記スリープスモールセル基地局のＰＲＳを送信する時間周波数リソースに基づいて、ユーザー機器を位置決めする、ことを含む、無線通信システムにおいて無線通信を行うための方法。
【請求項２８】
ユーザー機器に使用される位置決め測定補助データを確定し、前記補助データは、スモールセル基地局の位置決め参照信号ＰＲＳの再配置情報を含み、
前記補助データに基づいて前記スモールセル基地局が送信するＰＲＳを位置決め測定し、
前記スモールセル基地局が送信するＰＲＳを位置決め測定した結果に基づいて位置決め情報を生成して、前記ユーザー機器を位置決めする、ことを含む、無線通信システムにおいて無線通信を行うための方法。
【発明の詳細な説明】
【技術分野】
【０００１】
本開示は無線通信の技術分野に関し、具体的に、無線通信システムにおける電子デバイス及び無線通信システムにおいて無線通信を行うための方法に関する。
【背景技術】
【０００２】
この部分は本開示に関する背景情報を提供しており、これは必ずしも従来技術ではない。
【０００３】
ＳＣＮ（Ｓｍａｌｌ  Ｃｅｌｌ  Ｎｅｔｗｏｒｋ、スモールセルネットワーク）は、データトラフィックの急速な増長に対処する有効な手段であると考えられる。無線通信の標準化に対する議論において、新しい参照信号であるＤＲＳ（Ｄｉｓｃｏｖｅｒｙ  Ｒｅｆｅｒｅｎｃｅ  Ｓｉｇｎａｌ、発見参照信号）がＳｍａｌｌ  ｃｅｌｌ  ｏｎ／ｏｆｆ（スモールセルオン／オフ）メカニズムのサポートに使用される。スモールセルオフの状態で、スモールセル基地局はＤＲＳのみを送信する。
【０００４】
屋内位置決めは無線通信技術の標準化の主な仕事の一つである。従来のＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ、観測到着時間差）技術は、屋内位置決め技術のうち重要な考慮すべき技術である。セルの特定の参照信号のみに基づく場合にＯＴＤＯＡは、十分な精度に達することができないため、ＰＲＳ（Ｐｏｓｉｔｉｏｎｉｎｇ  Ｒｅｆｅｒｅｎｃｅ  Ｓｉｇｎａｌ、位置決め参照信号）が導入された。
【発明の概要】
【発明が解決しようとする課題】
【０００５】
しかしながら、スモールセルは、オフの状態でＰＲＳを送信しない。ＯＴＤＯＡが伝統的なＰＲＳのみに基づくものであれば、大量のスモールセルがオフ状態にある時、ユーザー機器の位置決め精度が低下し、ひいては、位置決めできなくなる。
【０００６】
そこで、位置決めの精度を向上させるとともに位置決め過程を高速化するという目的を達成するように、新しい無線通信技術方式を提出する必要がある。
【課題を解決するための手段】
【０００７】
この部分は、本開示の一般的な概要を提供しており、その全ての範囲又はその全ての特徴の完全な開示ではない。
【０００８】
本開示の目的は、スモールセルオン／オフ技術とＯＴＤＯＡ技術を両立させて、ユーザー機器の位置決め精度を向上させるとともに位置決め過程を高速化するように、無線通信システムにおける電子デバイス及び無線通信システムにおいて無線通信を行うための方法を提供することにある。
【０００９】
本開示の一方面によれば、１つ又は複数の処理回路を備え、前記処理回路は、予定の地理的エリア内のスモールセル基地局のオン／オフ状態を取得し、取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めする、という動作を実行するように配置されている、無線通信システムにおける電子デバイスを提供する。
【００１０】
本開示の他方面によれば、１つ又は複数の処理回路を備え、前記処理回路は、制御装置からの位置決め参照信号ＰＲＳの再配置情報を確定し、なお、前記ＰＲＳの再配置情報は発見参照信号ＤＲＳにおいて前記ＰＲＳを配置することを指示する統合情報を含み、前記統合情報に基づいて前記ＤＲＳを再配置して、ユーザー機器を位置決めする、という動作を実行するように配置されている、無線通信システムにおける電子デバイスを提供する。
【００１１】
本開示の他方面によれば、１つ又は複数の処理回路を備え、前記処理回路は、制御装置からの位置決め参照信号ＰＲＳの再配置情報を確定し、なお、前記ＰＲＳの再配置情報は、スリープスモールセル基地局のＰＲＳ配置補助情報を含み、前記ＰＲＳ配置補助情報に基づいて前記ＰＲＳを再配置して、アイドルリソースである前記スリープスモールセル基地局のＰＲＳを送信する時間−周波数リソースを利用してユーザー機器を位置決めする、という動作を実行するように配置されている、無線通信システムにおける電子デバイスを提供する。
【００１２】
本開示の他方面によれば、１つ又は複数の処理回路を備え、前記処理回路は、ユーザー機器に使用される位置決め測定補助データを確定し、なお、前記補助データは、スモールセル基地局の位置決め参照信号ＰＲＳの再配置情報を含み、前記補助データに基づいて前記スモールセル基地局が送信するＰＲＳを位置決め測定し、前記スモールセル基地局が送信するＰＲＳを位置決め測定した結果に基づいて、位置決め情報を生成して、前記ユーザー機器を位置決めする、という動作を実行するように配置されている、無線通信システムにおける電子デバイスを提供する。
【００１３】
本開示の他方面によれば、予定の地理的エリア内のスモールセル基地局のオン／オフ状態を取得し、取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めすること、を含む、無線通信システムにおいて無線通信を行うための方法を提供する。
【００１４】
本開示の他方面によれば、制御装置からの位置決め参照信号ＰＲＳの再配置情報を確定し、なお、前記ＰＲＳの再配置情報は、発見参照信号ＤＲＳにおいて前記ＰＲＳを配置することを指示する統合情報を含み、前記統合情報に基づいて前記ＤＲＳを再配置して、ユーザー機器を位置決めすること、を含む、無線通信システムにおいて無線通信を行うための方法を提供する。
【００１５】
本開示の他方面によれば、制御装置からの位置決め参照信号ＰＲＳの再配置情報を確定し、なお、前記ＰＲＳの再配置情報は、スリープスモールセル基地局のＰＲＳ配置補助情報を含み、前記ＰＲＳ配置補助情報に基づいて前記ＰＲＳを再配置して、アイドルリソースである前記スリープスモールセル基地局のＰＲＳを送信する時間−周波数リソースに基づいて、ユーザー機器を位置決めすること、を含む、無線通信システムにおいて無線通信を行うための方法を提供する。
【００１６】
本開示の他方面によれば、ユーザー機器に使用される位置決め測定補助データを確定し、前記補助データは、スモールセル基地局の位置決め参照信号ＰＲＳの再配置情報を含み、前記補助データに基づいて前記スモールセル基地局が送信するＰＲＳを位置決め測定し、前記スモールセル基地局が送信するＰＲＳを位置決め測定した結果に基づいて位置決め情報を生成して、前記ユーザー機器を位置決めする、ことを含む、無線通信システムにおいて無線通信を行うための方法を提供する。
【００１７】
本開示による無線通信システムにおける電子デバイス及び無線通信システムにおいて無線通信を行うための方法を使用することにより、既存のＰＲＳ信号を再配置することができて、位置決め精度を向上させる作用を奏しているとともに、位置決め処理を高速化するという目的を達成することができる。
【００１８】
本明細書に提供された説明から、さらなる適用領域が明らかになる。この要約における説明及び特定の例は、例示の目的のためであり、本開示の範囲を限定することを意図するものではない。
【図面の簡単な説明】
【００１９】
本明細書に開示された図面は、全ての可能な実施態様ではなくて、選択された実施例の例示の目的のためであり、本開示の範囲を限定することを意図するものではない。図面において、
【図１】図１は本開示の実施例による無線通信システムにおける電子デバイスの構成を示すブロック図である。
【図２】図２は本開示の他の実施例による無線通信システムにおける電子デバイスの構成を示すブロック図である。
【図３】図３は本開示の他の実施例による無線通信システムにおける電子デバイスの構成を示すブロック図である。
【図４】図４は本開示の他の実施例による無線通信システムにおける電子デバイスの構成を示すブロック図である。
【図５】図５（ａ）〜５（ｄ）はＰＲＳ時間−周波数リソースブロックの再割り当ての例を示す概略図である。
【図６】図６は本開示の実施例による無線通信システムにおいて無線通信を行うための方法を示すシーケンス図である。
【図７】図７は本開示の他の実施例による無線通信システムにおいて無線通信を行うための方法を示すシーケンス図である。
【図８】図８は本開示の他の実施例による無線通信システムにおいて無線通信を行うための方法を示すシーケンス図である。
【図９】図９は本開示のサーバーに適用する概略配置の例を示すブロック図である。
【図１０】図１０は本開示のｅＮＢ（ｅｖｏｌｕｔｉｏｎ  Ｎｏｄｅ  Ｂａｓｅ  Ｓｔａｔｉｏｎ、進化ノード基地局）に適用する概略配置の第一例を示すブロック図である。
【図１１】図１１は本開示のｅＮＢに適用する概略配置の第二例を示すブロック図である。
【図１２】図１２は本開示のスマートフォンに適用する概略配置の例を示すブロック図である。
【図１３】図１３は本開示のカーナビゲーション装置に適用する概略配置の例を示すブロック図である。
【００２０】
本開示は様々な修正と代替形態の影響を受けやすいが、その特定の実施例は例として添付の図面に示されて、そして、ここで詳細に説明する。理解すべきことは、本明細書における特定の実施例に対する説明は本開示を開示された具体的な形態に限定することを意図するものではなく、逆に本開示は本開示の精神および範囲内に入る全ての修正、均等、及び置換を包含することを意図する。なお、いくつかの図面を通して、対応する符号は対応する部品を示す。
【発明を実施するための形態】
【００２１】
本開示の例について、添付の図面を参照してより十分に説明する。以下の説明は、実際には単に例示的であり、本開示、適用または使用を限定するものではない。
【００２２】
本開示が詳しくなり、その範囲を当業者に十分に伝えるように、例示的な実施例を提供する。特定の部品、デバイス、及び方法の例などの様々な特定の詳細を説明して、本開示の実施例に対する十分な理解を提供する。特定の詳細は必ず必要ではなく、例示的な実施例は多くの異なる形態で実施されることができ、本開示の範囲を限定するものと解釈されるべきではないことは、当業者には明らかである。いくつかの例示的な実施例では、周知のプロセス、周知の構造、及び周知の技術は詳細には記載されていない。
【００２３】
本開示にかかるＵＥ（Ｕｓｅｒ  Ｅｑｕｉｐｍｅｎｔ、ユーザー機器）は、携帯端末、コンピュータ、自動車機器などの無線通信機能を有する端末を含むが、これに限られない。さらに、本開示にかかるＵＥはＵＥ自体又はチップなどのその中の部品であってもよい。なお、本開示にかかる基地局は、例えばｅＮＢ（ｅｖｏｌｕｔｉｏｎ  Ｎｏｄｅ  Ｂａｓｅ  Ｓｔａｔｉｏｎ、進化ノード基地局）又はチップなどのｅＮＢにおける部品であってもよい。
【００２４】
以下、発明者が知っているＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ、観測到着時間差）技術を簡単に説明するが、これは必ずしも従来技術ではない。
【００２５】
ＯＴＤＯＡ位置決めは、ＬＴＥ（Ｌｏｎｇ  Ｔｅｒｍ  Ｅｖｏｌｕｔｉｏｎ、長期的な進化）Ｒｅｌ―９では定義される下り位置決め方式である。ＯＴＤＯＡにおいて、ＵＥ（Ｕｓｅｒ  Ｅｑｕｉｐｍｅｎｔ、ユーザー機器）は、複数の基地局の参照信号のＴＯＡ（Ｔｉｍｅ  ｏｆ  Ａｒｒｉｖａｌ、到着時間）を測定して、隣接セルと参照セルとの到着時間差を計算する。幾何学的には、各隣接セルと参照セルとの到着時間差は、いずれも２次元平面上で双曲線を生成する。それで、少なくとも３つの基地局の参照信号のＴＯＡを測定することによって、２つの双曲線を取得することができて、ＵＥの２次元座標における位置（緯度及び経度）を取得することができる。
【００２６】
ＯＴＤＯＡは、ＵＥが観測した隣接セル及びサービングセルに対する参照信号時間差に基づいて行うものであり、これはＲＳＴＤ（Ｒｅｆｅｒｅｎｃｅ  Ｓｉｇｎａｌ  Ｔｉｍｅ  Ｄｉｆｆｅｒｅｎｃｅ、参照信号時間差）と呼ばれる。
【００２７】
なお、通常、隣接セルが送信する下り信号は、そのサービスの範囲にないＵＥに対して、「可聴度」が劣って、ＯＴＤＯＡの位置決め精度及び位置決め成功率に重大な影響を及ぼす。
【００２８】
例えば、隣接セルの同期信号（例えば、ＰＳＳ（Ｐｒｉｍａｒｙ  Ｓｙｎｃｈｒｏｎｉｚａｔｉｏｎ  Ｓｉｇｎａｌ、メイン同期信号）又はＳＳＳ（Ｓｅｃｏｎｄａｒｙ  Ｓｙｎｃｈｒｏｎｉｚａｔｉｏｎ  Ｓｉｇｎａｌ、補助同期信号））は、測定に利用されることができるが、ＵＥが十分な隣接セルを検出して正確な位置決めを行うことは困難である。
【００２９】
そこで、ＵＥが隣接セルを検出する確率を高めて、ＯＴＤＯＡがより良い位置決めの信頼性を得るように、ＬＴＥ  Ｒｅｌ―９でＰＲＳ（Ｐｏｓｉｔｉｏｎｉｎｇ  Ｒｅｆｅｒｅｎｃｅ  Ｓｉｇｎａｌ、位置決め参照信号）が特別に定義される。
【００３０】
ＰＲＳは、ＬＴＥ  Ｒｅｌ―８で定義されるＣＲＳ（Ｃｅｌｌ−ｓｐｅｃｉｆｉｃ  Ｒｅｆｅｒｅｎｃｅ  Ｓｉｇｎａｌ、セル特定参照信号）と多くの類似点がある。ＰＲＳは擬似ランダムのＱＰＳＫ（Ｑｕａｄｒａｔｕｒｅ  Ｐｈａｓｅ  Ｓｈｉｆｔ  Ｋｅｙｉｎｇ、直交位相シフトキーイング）シーケンスを使用し、また、時間と周波数のずれによって対角状にマッピングして、ＣＲＳとの衝突を避ける。ＰＲＳ信号は、アンテナの６ポートのみで送信可能であり、ＰＢＣＨ（Ｐｈｙｓｉｃａｌ  Ｂｒｏａｄｃａｓｔ  Ｃｈａｎｎｅｌ、物理報知チャネル）、ＰＳＳ、及びＳＳＳによって占められたリソースブロックにマッピングされることができない。ＰＲＳの帯域幅は１５ｋＨｚと定義される。
【００３１】
位置決めサブフレームは低干渉サブフレームとして設計され、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）上で送信されない。完全に同期されるネットワークにおいて、ＰＲＳ信号は他のセルの同じ送信モードを有するＰＲＳ信号のみによって干渉され、データ信号によって干渉されない。
【００３２】
ＰＲＳは、予め定義された位置決めサブフレームで送信され、この位置決めサブフレームは、ＮＰＲＳの連続サブフレームからなり、「位置決め間隔」と呼ばれる。位置決め間隔はサイクルＴＰＲＳで現れて、ＴＰＲＳは３ＧＰＰＴＳ  ３６．２１１で定義され、１６０、３２０、６４０又は１２８０サブフレームと等しくてもよく、連続サブフレーム数ＮＰＲＳは１、２、４又は６サブフレームであってもよい。
【００３３】
ＰＲＳ送信タイミングを特徴づける第３のパラメータはセル特定サブフレームオフセットΔＰＲＳであり、ＳＦＮ（Ｓｙｓｔｅｍ  Ｆｒａｍｅ  Ｎｕｍｂｅｒ、システムフレーム番号）＝０（各ＰＲＳサイクルの開始位置によって推定できる）に対してＰＲＳが送信開始するサブフレーム番号を定義した。パラメータＴＰＲＳとΔＰＲＳはＰＲＳ配置指標ＩＰＲＳによって得ることができる。
【００３４】
各位置決め間隔において、ＰＲＳが一定のパワーで送信される。いくつかの位置決め間隔において、ＰＲＳがゼロパワーで送信されてもよく、「ＰＲＳ沈黙」と呼ばれる。ＵＥが受信した強いＰＲＳ信号（例えばサービングセルから受信したもの）が沈黙になった後、隣接セルの（同じ周波数オフセットを有する）パワーがより小さいＰＲＳ信号がＵＥによって検出されやすい。
【００３５】
３ＧＰＰ  ＴＳ  ３６．３５５規定に準拠して、一つのセル内のＰＲＳの沈黙配置はサイクルがＴＲＥＰである沈黙シーケンスによって定義され、なお、ＴＲＥＰ＝２、４、８又は１６の位置決め間隔である。ＰＲＳの沈黙メッセージは、長さが２、４、８又は１６ビットであるビット列によって標識され（異なるＴＲＥＰに対応し）、ビット列のうち各ビットは０又は１の値を取ることができる。ＰＲＳの沈黙メッセージのあるビットが０に設定されたら、対応するＰＲＳ送信間隔においてＰＲＳが沈黙にされる。ＰＲＳの沈黙シーケンスの最初のビットは補助データ参照セルＳＦＮ＝０の開始後の最初のＰＲＳ送信間隔に対応する。
【００３６】
ＯＴＤＯＡ位置決め方法のコアネットワーク要素はＬＳ（Ｌｏｃａｔｉｏｎ  Ｓｅｒｖｅｒ、位置決めサーバー）である。ＣＰ（Ｃｏｎｔｒｏｌ  Ｐｌａｎｅ、制御平面）位置決めにおいて、位置決めサーバーはＥ―ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｒｅ、進化サービスモバイル位置決めセンター）の役割を演じ、ＵＰ（Ｕｓｅｒ  Ｐｌａｎｅ、ユーザー平面）位置決めにおいて、位置決めサーバーはＳＵＰＬ（Ｓｅｃｕｒｅ  Ｕｓｅｒ  Ｐｌａｎｅ  Ｌｏｃａｔｉｏｎ、セキュアユーザー平面位置決め）ＳＬＰ（ＳＵＰＬ  Ｌｏｃａｔｉｏｎ  Ｐｌａｔｆｏｒｍ、ＳＵＰＬ位置決めプラットホーム）に相当する。
【００３７】
ＧＭＬＣ（Ｇａｔｅｗａｙ  Ｍｏｂｉｌｅ  Ｌｏｃａｔｉｏｎ  Ｃｅｎｔｅｒ、ゲートウェイモバイル位置決めセンター）は、外部クライアントが制御平面位置決めにアクセスする一つ目のノードである。登録と承認が行われた後、ＭＭＥ（Ｍｏｂｉｌｉｔｙ  Ｍａｎａｇｅｍｅｎｔ  Ｅｎｔｉｔｙ、モビリティ管理エンティティ）に位置決めリクエストを送信して、ＭＭＥから最終的な位置決め結果推定を受信する。
【００３８】
位置決めサーバーはＵＥに位置決め補助データを送信し、ＵＥはＲＳＴＤ測定結果を位置決めサーバーに報告して、端末装置に対するＯＴＤＯＡ位置決めを完成させる。位置決めサーバーは最終的な位置推定（ＵＥ補助）を計算したり、（ＵＥに基づいて）検証したりすることができる。
【００３９】
制御平面方式において、ＭＭＥは別のエンティティ（例えば、ＧＭＬＣ、ＵＥ）からの特定のＵＥに関する位置決めサービスリクエストを受信し、或いは、ＭＭＥ自体が特定のＵＥに対する位置決め初期化動作を開始する。その後、ＭＭＥは、Ｅ−ＳＭＬＣに位置決めサービスリクエストを送信して、Ｅ−ＳＭＬＣは位置決めサービスリクエストを処理して、ＯＴＤＯＡ位置決め補助データを目標ＵＥに送信する。そして、Ｅ−ＳＭＬＣは位置決めサービス結果情報をＭＭＥに戻す。ＭＭＥによって発起される位置決めサービスリクエストでなければ、ＭＭＥは位置決め結果をリクエストが開始されるエンティティに送信する。
【００４０】
ＳＬＰは、ユーザー平面位置決めを担当するＳＵＰＬエンティティであり、かつ、ＳＬＰはデータキャリアによってユーザー平面においてＵＥと直接的に通信する。ＳＬＰのＯＴＤＯＡ位置決めフローにおける機能は、Ｅ−ＳＭＬＣと同じである。
【００４１】
位置決めサーバー（Ｅ−ＳＭＬＣ又はＳＵＰＬ  ＳＬＰ）の間の位置決めプロトコルフローは通常、キャリア送信と、補助データ送信と、位置決め情報送信との３つを含む。
【００４２】
ＵＥがＲＳＴＤ測定を実行するのに、ＰＲＳ信号がＵＥに達する時間及び正確なＰＲＳ配置情報を取得する必要がある。そのため、ＲＳＴＤ測定をよりよく保証するために、ネットワークにおける位置決めサーバーはＯＴＤＯＡ補助データをＵＥに送信する。ＯＴＤＯＡ補助データは以下のような二つの要素を含む。
【００４３】
１．ＯＴＤＯＡ  Ｒｅｆｅｒｅｎｃｅ  Ｃｅｌｌ  Ｉｎｆｏ（ＯＴＤＯＡ参照セル情報）：この要素は、参照セルのパラメータを含み、ＯＴＤＯＡ隣接セルリストにおけるパラメータはこの要素によって設定される。
【００４４】
２．ＯＴＤＯＡ  Ｎｅｉｇｈｂｏｕｒ  Ｃｅｌｌ  Ｉｎｆｏ（ＯＴＤＯＡ隣接セル情報）：この要素は、各隣接セルのパラメータを含み、測定優先順位の降順に並び替えられ、順序はサーバーによって決定され、ＵＥは位置決めサーバーによって提供される順序に従ってＲＳＴＤの測定を行う。
【００４５】
３ＧＰＰ（３ｒｄ  Ｇｅｎｅｒａｔｉｏｎ  Ｐａｒｔｎｅｒｓｈｉｐ  Ｐｒｏｊｅｃｔ、第三世代パートナーシッププロジェクト）ＴＳ（Ｔｅｃｈｎｉｃａｌ  Ｓｐｅｃｉｆｉｃａｔｉｏｎ、技術規範）３６．３５５に準拠して、ＯＴＤＯＡ  Ｒｅｆｅｒｅｎｃｅ  Ｃｅｌｌ  ＩｎｆｏとＯＴＤＯＡ  Ｎｅｉｇｈｂｏｕｒ  Ｃｅｌｌ  Ｉｎｆｏは「ＰｒｏｖｉｄｅａｓｓｉｓｔａｎｃｅＤａｔａ」というメッセージに含まれ、「ＰｒｏｖｉｄｅＡｓｓｉｓｔａｎｃｅＤａｔａ」メッセージと「ＲｅｑｕｅｓｔＡｓｓｉｓｔａｎｃｅＤａｔａ」メッセージは「ＬＰＰ  ｍｅｓｓａｇｅ」に含まれる。３ＧＰＰ  ＴＳ  ２４．１７１に準拠して、「ＬＰＰ  ｍｅｓｓａｇｅｓ」は「Ｕｐｌｉｎｋ／Ｄｏｗｎｌｉｎｋ  Ｇｅｎｅｒｉｃ  ＮＡＳ  Ｔｒａｎｓｐｏｒｔ  ｍｅｓｓａｇｅ」によって送信され、即ち、「ＬＰＰ  ｍｅｓｓａｇｅｓ」はＮＡＳプロトコルに含まれる。
【００４６】
ＯＴＤＯＡ  Ｒｅｆｅｒｅｎｃｅ  Ｃｅｌｌ  Ｉｎｆｏ要素は、参照セルのマークやＰＲＳ配置情報などを含み、表１に示すように、「Ｍ」は、この要素が測定情報において必ず現れることを表し、「Ｏ」はこの要素が測定情報において現れる可否がオプションであることを表し、「Ｃ」はこの要素が一定の条件で測定情報において現れることを表し、条件は、この要素の定義で説明される。
【表１】
2018517357.tif 000003
【００４７】
ＯＴＤＯＡ  Ｎｅｉｇｈｂｏｕｒ  Ｃｅｌｌ  Ｉｎｆｏ要素は、表２に示すように、各隣接セルのマーク、ＰＲＳ配置情報、ＲＳＴＤ測定ウィンドウなどを含む。隣接セル情報リストにおいてセルの情報を７２個まで含むことができる。
【表２】
2018517357.tif 000004
【００４８】
参照セル情報要素と隣接セル情報要素ともＰＲＳの配置情報を含む。ＰＲＳ情報要素は表３に示すように、ＰＲＳの配置、タイミングなどの情報を含む。
【表３】
2018517357.tif 000005
【００４９】
以上、ＯＴＤＯＡ技術を説明した。次に、発明者が知っているスモールセルオン／オフ技術を簡単に説明する。これは必ずしも従来技術ではない。
【００５０】
ネットワークカバーとデータ需要の急速な発展に伴い、モバイルネットワークの規模が拡大し続け、ネットワーク機器、基地局や動力システムの数が倍に増加し、無線通信ネットワークのエネルギー消費問題は業界の焦点になっている。基地局は、無線通信ネットワークにおける主要なエネルギー消費機器であり、セルラー方式通信システムのユーザーの数及び通信容量が増加していくにつれて、基地局の数も急増し、そのため、基地局のエネルギー消費を低減することはグリーンコミュニケーションを実現する鍵である。
【００５１】
基地局側の省エネルギーについて、端末側のＤＲＸ（Ｄｉｓｃｏｎｔｉｎｕｏｕｓ  Ｒｅｃｅｐｔｉｏｎ、不連続受信）メカニズムのように、基地局側は実際の容量需要によって、動的スイッチングを行うことで、合理的に電力を配分して、省エネルギーの目標に達成することができる。
【００５２】
スモールセルオンオフは、ネットワーク端が実際のネットワーク負荷、セル間の干渉などの状況に応じて、スモールセルに対してオンとオフを自己適応的に行うことを意味して、これによりネットワークスループットを向上させ、基地局端のエネルギー消費を節約するという目的を達成する。
【００５３】
セルがオンされる時に、ＵＥに、例えばセル測定又はデータ復調のための参照信号などの、正常通信をする時に必要な様々な信号を送信する。
【００５４】
セルがオフされる時に、省エネルギーの目的のために、ほとんどの無線周波数機能を閉じ、上記のような参照信号を送信しない。そこで、ユーザーにとって、このようなセルを発見するように、何らかのメカニズムを設計する必要があり、例えば、専用のセル発見信号ＤＲＳ（Ｄｉｓｃｏｖｅｒｙ  Ｒｅｆｅｒｅｎｃｅ  Ｓｉｇｎａｌ、発見参照信号）を使用して、オフされる時にも送信し続ける。しかし、これらのメカニズムは、伝統的なユーザーと互換性がない可能性がある。
【００５５】
Ｒｅｌ−１２における議論によれば、スモールセルオンオフの具体的な実現は、主に半静的なオンオフ方式に集中する。
【００５６】
この方式では、スモールセルが半静的にオンオフされる。半静的なセルのオン／オフは、トラフィック負荷の増加／減少、ユーザーの到着／出発、コールパケットの到達／完了に基づくことができる。伝統的な流れに基づいて、半静的なセルのオンオフの変換時間は数百ミリ秒から数秒である。関連プロセスが強化される場合、状態変換時間を短縮することができる。
【００５７】
業務負荷に基づく場合、隣接セル又は本セルの業務負荷が一定の閾値に上昇すれば、オフされたスモールセルが再びオンされる可能性がある。同様に、隣接セル又は本セルの負荷が一定の閾値に低減すれば、オンされたセルがオフされる可能性がある。
【００５８】
ユーザーのセル従属関係に基づく場合、セル内にユーザーがいなければ、スモールセルがオフされる可能性がある。ネットワーク端が、いくつかのユーザーを切り替えることを決定した場合、このオフされたセルが再びオンされる可能性がある。ユーザーのセル従属関係は、ユーザーの測定及び負荷バランスなどのメカニズムに基づいてネットワーク端によって決定される。
【００５９】
データパケットの到達／完了に基づく場合、あるデータパケットが到達すれば、オフされたスモールセルが再びオンされる可能性がある。このデータパケットが送信完了された場合、このスモールセルがオフされる可能性がある。
【００６０】
以上の説明から分かるように、半静的なスモールセルオンオフ方式は、より容易に標準化の観点から実現できるだけでなく、ネットワーク性能を向上するとともに、セル間の干渉を調整することができる。
【００６１】
スモールセルの密集配置のため、セル間の同期信号及び参照信号は深刻に干渉されてしまう。さらに、スモールセルオン／オフ技術が提案されたことによって、スモールセルオン／オフの変換時間を短縮するように、より効率的なセル発見メカニズムが必要になる。そのため、３ＧＰＰは、新しい参照信号であるＤＲＳを設計することを提案した。同時に、ＤＲＳの提案は、密集スモールセル間負荷バランス、干渉調整、ＲＲＭ（Ｒａｄｉｏ  Ｒｅｓｏｕｒｃｅ  Ｍａｎａｇｅｍｅｎｔ、無線リソース管理）測定及びセル識別などに有利である。これによって、ＤＲＳの提案が一連の利点をもたらす。
【００６２】
ＤＲＳ信号は主にＰＳＳ／ＳＳＳ及びＣＲＳを含み、ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ、チャネル状態情報参照信号）がＤＲＳに含まれるかどうかは次のことによる。
【００６３】
ＣＳＩ−ＲＳのＲＳＲＰ（Ｒｅｆｅｒｅｎｃｅ  Ｓｉｇｎａｌ  Ｒｅｃｅｉｖｉｎｇ  Ｐｏｗｅｒ、参照信号受信パワー）／ＲＳＲＱ（Ｒｅｆｅｒｅｎｃｅ  Ｓｉｇｎａｌ  Ｒｅｃｅｉｖｉｎｇ  Ｑｕａｌｉｔｙ、参照信号受信品質）測定に基づいて報告するように配置したら、ＤＲＳには、ＰＳＳ／ＳＳＳ、ＣＲＳ及びＣＳＩ−ＲＳが含まれる。
【００６４】
ＣＲＳのＲＳＲＰ／ＲＳＲＱ測定に基づいて報告するように配置したら、ＤＲＳにはＰＳＳ／ＳＳＳ以及ＣＲＳが含まれる。
【００６５】
二つの報告がいずれも配置されたら、ＤＲＳには、ＰＳＳ／ＳＳＳ、ＣＲＳ及びＣＳＩ−ＲＳが含まれる。
【００６６】
次に、同じ周波数及び異なる周波数の測定について、ＵＥが所定の周波数においてＤＲＳ測定に基づく報告のみを配置し、かつ、この周波数において、ＵＥがいずれのアクティブなサービングセルにも配分されない場合、ＤＭＴＣ（ＤＲＳ  ｍｅａｓｕｒｅｍｅｎｔ  ｔｉｍｉｎｇ  ｃｏｎｆｉｇｕｒａｔｉｏｎ、ＤＲＳ測定タイミング配置）継続時間において、ＵＥは、ＤＲＳのみに注目して、他の信号とチャネルの存在を無視する。
【００６７】
また、ＤＲＳは、下りサブフレーム又はサブフレームのＤｗＰＴＳ（Ｄｏｗｎｌｉｎｋ  Ｐｉｌｏｔ  Ｔｉｍｅ  Ｓｌｏｔ、下りリンクパイロットタイムスロット）領域のみで送信することができる。ＤＲＳはＮ（Ｎ＜＝５）の連続サブフレームの組合せからなり、一つのＰＳＳ／ＳＳＳを含み、ＣＲＳはＳＳＳと同一サブフレームにある。一つのＤＲＳは多種のＣＳＩ−ＲＳのＲＥ配置があり、ＣＳＩ−ＲＳサブフレームはＳＳＳサブフレームに対して一定のオフセットを持つ。ＤＲＳはＭミリ秒ごとに送信され、Ｍの取りうる値は４０、８０及び１６０を含む。
【００６８】
ＤＲＳ測定プロセスについて、主にＵＥが基地局が送信したＤＭＴＣによって測定を行う。ＤＭＴＣの具体的な配置は以下のように示す。
【００６９】
ＵＥに対して周波数ごとに一つのＤＭＴＣを配置し、オフセットの基準時間がメインセルの時間である。
【００７０】
ＤＭＴＣのサイクル「Ｍ」について、候補値が［４０、８０、２６０］であり、ＤＭＴＣのオフセット「Ｌ」について、候補値は［０、１、…、Ｍ−１］である。
【００７１】
サイクルとオフセット以外に、ＵＥは、ＲＲＣ（Ｒａｄｉｏ  Ｒｅｓｏｕｒｃｅ  Ｃｏｎｔｒｏｌ、無線リソース制御）によって測定帯域幅という周波数が通知され、ＵＥは、この測定帯域幅とシステム帯域幅が同じであると考えてもよい。
【００７２】
ＤＭＴＣの長さは６ミリ秒に規定される。
【００７３】
伝統的なＣＲＳ測定と互換性を持たせるために、ＤＲＳとＣＲＳ測定配置は、ＵＥに同時に配置されることができ、ＵＥは、二種類の測定を並行的に実行することができる。ＲＡＮ２の最新の議論において、ＣＲＳに基づく測定とＤＲＳに基づく測定が直接的に比較することができるか、或いは、一定の変換によって比較可能になる（ＤＲＳ信号にＣＳＩ−ＲＳが含まれるか否かによって決定される）。
【００７４】
また、ＤＲＳ測定配置信号が送信された場合、ＵＥは、自分がＤＲＸにあるかどうかにかかわらず、ＤＲＳ測定を継続して行う。ＤＲＳ探測とＲＲＭ測定プロセスは、オン又はスリープのセルにおけるＵＥに配置することができる。
【００７５】
スモールセルオン／オフ技術の詳細について以上で説明した。次に、本開示が直面する技術問題について説明する。
【００７６】
調査によれば、ＯＴＤＯＡ技術において、ＵＥは位置決めサーバーが提供した隣接セルリスト情報（Ｎｅｉｇｈｂｏｕｒ  Ｃｅｌｌ  Ｉｎｆｏ  ｌｉｓｔ）によってリストの中のセルとサービングセルとのＲＳＴＤを測定して、位置決めサーバーに報告して位置決めを実現する。屋内の場面において、壁の損耗は信号の強度に大きな減衰をもたらす。そのため、屋内環境に対抗してＰＲＳを強化させる必要がある。また、屋内スモールセルの密集配置の場面では、ＰＲＳの干渉調整問題を解決する必要もある。同時に、スモールセルｏｎ／ｏｆｆの導入もＰＲＳの関連配置に影響を及ぼすので、ＯＴＤＯＡ技術を屋内の場面に導入するのには、以下のような問題を解決する必要になる。
【００７７】
スモールセルｏｎ／ｏｆｆの場面で、時々、スモールセルがスリープ又はオンされることがある。スリープセルが占められる割合が大きいほど、ｏｎセルが送信するＰＲＳ信号間の干渉が小さくなる。ＰＲＳのサイクルもＵＥの各スモールセルＰＲＳに対する検出を影響し、ｏｆｆセルの数が変化するとき、ＰＲＳのサイクルを調整して、ＰＲＳのスパース度を相応的に変化させ、ＰＲＳの可測性を高めることに役立つ。従って、スモールセルの長期間のｏｎ／ｏｆｆの状況によって、ＰＲＳサイクルの配置問題を解決する必要がある。
【００７８】
また、屋内スモールセル配置の場面では、スモールセルの間で同じ周波数を使用する可能性がある。しかしながら、ＰＲＳの送信周波数の重なり合いは、各スモールセルの間のＰＲＳ干渉を増大させてしまうため、ＰＲＳ  ｍｕｔｉｎｇ技術によってＰＲＳの間の干渉問題に対処する必要がある。なお、オフされたスモールセルがある場合、ＰＲＳを送信する時間−周波数リソースがアイドルリソースになり、利用しなければ、ＰＲＳ時間−周波数リソースの無駄遣いをもたらすとともに、ＰＲＳの位置決めカバー問題に影響し、ＵＥがよい位置決め効果を得ることができない。そのため、このリソースはオフされていないセルに使用されてそのＰＲＳのカバレッジと可測性を高めることができるが、この時間−周波数リソースの配分問題を解决する必要がある。
【００７９】
また、多くのスモールセルがオフされる場合、一部のＵＥは十分なスモールセルのＰＲＳを測定することができないため位置決めに失敗する可能性がある。この場合に、一部のオフ状態のスモールセルはＤＲＳを送信するとともにＰＲＳも送信して位置決めを補助する必要がある。しかし、ｏｆｆスモールセルにＰＲＳを送信させることは、ｏｆｆセルのエネルギー消費に影響するだけでなく、既存のスモールセルｏｆｆのメカニズムに影響を与え、そのため、本開示は、ＰＲＳをＤＲＳに追加してＰＲＳの送信を保証することを考慮する。しかしながら、如何に互いに影響を与えずＰＲＳをＤＲＳに追加するかは、解决する必要がある問題である。同時に、ＰＲＳを送信するスリープスモールセルの選択も考慮する必要がある問題である。
【００８０】
本開示は、再配置されたＰＲＳに基づくＯＴＤＯＡ位置決め技術方式を提出し、より良い位置決め効果を実現するように、スモールセルオンオフ技術とＯＴＤＯＡ技術との両立性問題を解決することを意図する。そして、本開示は、特に、例えば屋内位置決めのようなスモールセルの密集配置の場面に好適である。
【００８１】
図１には本開示の実施例による無線通信システムにおける電子デバイス１００の構成が示される。図１に示すように、電子デバイス１００は処理回路１１０を含むことができる。なお、電子デバイス１００は一つの処理回路１１０を含んでもよく、複数の処理回路１１０を含んでもよい。また、電子デバイス１００は通信部１２０なども含むことができる。
【００８２】
さらに、処理回路１１０は、様々な異なる機能及び／又は動作を実行するように、様々な個別の機能部を含むことができる。なお、これらの機能部は、物理エンティティ又は論理エンティティであってもよく、そして、異なる呼称の部は、同一物理エンティティによって実現してもよい。
【００８３】
例えば、図１に示すように、処理回路１１０は取得部１１１と生成部１１２を含むことができる。
【００８４】
取得部１１１は予定の地理的エリア内のスモールセル基地局のオン／オフ状態を取得することができる。
【００８５】
生成部１１２は、取得部１１１が取得したスモールセル基地局のオン／オフ状態に基づいて、予定の地理的エリア内のスモールセル基地局に使用されるＰＲＳの再配置情報を生成して、予定の地理的エリア内のＵＥを位置決めすることができる。
【００８６】
本開示による実施例の電子デバイス１００を使用することによって、スモールセル基地局のオン／オフ状態に基づいてＰＲＳを再配置して、ＵＥを位置決めすることができる。こうすると、スモールセル基地局がオン状態とオフ状態の間で変換し、かつオフ状態のスモールセル基地局がＰＲＳを送信しなくても、再配置されたＰＲＳにより位置決めを行うことができて、既存のシステムの動作モードに大きく影響せずに、スモールセルオンオフ技術とＯＴＤＯＡ技術の両立性問題が解決され、さらに、例えば、よい屋内位置決め効果を実現した。
【００８７】
本開示の実施例によれば、ＰＲＳの再配置情報は、アクティブ状態の（すなわち、オン状態にある）スモールセル基地局のＰＲＳ送信サイクルを含んでもよい。さらに、処理回路１１０（例えば生成部１１２）は、予定の地理的エリア内のスモールセル基地局に対する予定の地理的エリア内のスリープスモールセル基地局の割合に基づいてアクティブ状態のスモールセル基地局のＰＲＳ送信サイクルを調整することができる。
【００８８】
処理回路１１０は、上記割合が第１閾値より大きい場合、アクティブ状態のスモールセル基地局のＰＲＳ送信サイクルを短縮し、上記割合が第２閾値より小さい場合、処理回路１１０はアクティブ状態のスモールセル基地局のＰＲＳ送信サイクルを増加することが好ましい。
【００８９】
具体的に、スモールセルｏｎ／ｏｆｆの場面で、ＰＲＳのサイクル配置はマクロセル内のｏｆｆセル数の占める割合に関係があってもよい。スリープセルの占める割合が大きいほど、ｏｎセルが送信するＰＲＳ信号の間の干渉が小さくなる。伝統的なＰＲＳサイクルは、全てのセルがａｌｗａｙｓ−ｏｎ状態であることに基づくものであるため、このように、スリープセル数が一定の数に達する場合、ＰＲＳサイクルが大きすぎるように見えて、リソースの無駄を招く。そのため、スモールセルＰＲＳサイクルの設定はマクロセル範囲内のスモールセルｏｎ／ｏｆｆの状況を考えることができる。
【００９０】
例えば、スリープセルの占める割合が所定の閾値まで増加した場合、ＰＲＳ信号のサイクルを短縮することが考えられる。同様に、スリープセルの占める割合が所定の閾値まで減少した場合、ＰＲＳ信号のサイクルを増加する。なお、マクロセル内のスリープセルの占める割合は、比較的長時間にわたる平均化の結果である。比較的長時間にわたり、各スモールセルのオンオフの回数が多いが、マクロセル全体としては、スリープセルの占める割合があまり変化しないため、ＰＲＳのサイクルが頻繁に変化しない。
【００９１】
しかしながら、例えば、あるビルが突然数日間の重大な会議を開催するなどのいくつかの特別なケースでは、スリープセルの占める割合が所定の閾値以下に大幅に減少されて、比較的長時間維持される。マクロセルは、このような長期のスリープセルの占める割合が大きく変更されたことを検出した場合、ＰＲＳサイクルを調整して、カバレッジでの全てのスモールセルに通知する。
【００９２】
本開示の好ましい実施例によれば、ＰＲＳの再配置情報は、予定の地理的エリア内のスリープスモールセル基地局のＰＲＳの配置補助情報を含んでもよい。さらに、処理回路１１０（例えば生成部１１２）はスリープスモールセル基地局のＰＲＳを送信する時間−周波数リソースをアイドルリソースとしてアクティブ状態のスモールセル基地局に割り当ててもよい。
【００９３】
本開示の好ましい実施例によれば、処理回路１１０（例えば生成部１１２）はアクティブ状態のスモールセル基地局の優先順位に基づいてアイドルリソースをアクティブ状態のスモールセル基地局に割り当ててもよい。
【００９４】
本開示の好ましい実施例によれば、処理回路１１０（例えば生成部１１２）は、以下のように優先順位を確定してもよい。即ち、各ＵＥの大まかな地理位置に基づいて、各ＵＥを位置決めするためのアクティブ状態のスモールセル基地局を確定し、予定の時間内において、各ＵＥを位置決めするためのアクティブ状態のスモールセル基地局の出現回数を計数し、計数の結果に基づいて、優先順位を確定する。
【００９５】
本開示の好ましい実施例によれば、ＰＲＳの再配置情報はＤＲＳにおいてＰＲＳを配置することを指示する統合情報を含んでもよい。さらに、処理回路１１０（例えば生成部１１２）は、予定の時間内における各ＵＥを位置決めためのスリープスモールセル基地局の出現回数に基づいて統合情報を生成してもよい。
【００９６】
本開示の好ましい実施例によれば、統合情報は、ＰＲＳのＤＲＳにおける配置位置を指示する位置情報を含んでもよい。さらに、処理回路１１０（例えば生成部１１２）は、ＤＲＳの配置情報に基づいて位置情報を生成してもよい。
【００９７】
なお、本開示の実施例によれば、上記のような無線通信システムはＬＴＥ−Ａ（Ｌｏｎｇ  Ｔｅｒｍ  Ｅｖｏｌｕｔｉｏｎ−Ａｄｖａｎｃｅｄ）セルラー通信システムであり、電子デバイス１００はコアネットワークにおける位置決めサーバーであり、さらに、電子デバイス１００は通信部１２０などを含んでもよい。通信部１２０は例えば基地局から関連情報を受信するか及び／又は基地局へ関連情報を送信してもよい。
【００９８】
次に、無線通信システムにおける基地局側の電子デバイスについて詳細に説明する。図２には本開示の実施例による無線通信システムにおける電子デバイス２００の構成が示される。
【００９９】
図２に示すように、電子デバイス２００は処理回路２１０を含んでもよい。なお、電子デバイス２００は、一つの処理回路２１０を含んでもよく、複数の処理回路２１０を含んでもよい。また、電子デバイス２００は通信部２２０などを含んでもよい。
【０１００】
上記のように、同様に、処理回路２１０は、様々な異なる機能及び／又は動作を実行するように、様々な個別の機能部を含んでもよい。これらの機能部は物理エンティティ又は論理エンティティであってもよく、かつ、異なる呼称の部は、同一物理エンティティによって実現してもよい。
【０１０１】
図２に示すように、処理回路２１０は確定部２１１と再配置部２１２を含むことができる。
【０１０２】
確定部２１１は、制御装置からのＰＲＳの再配置情報を確定することができる。ここで、ＰＲＳの再配置情報は、ＤＲＳにおいてＰＲＳを配置することを指示する統合情報を含んでもよい。
【０１０３】
再配置部２１２は統合情報に基づいてＤＲＳを再配置して、ＵＥを位置決めすることができる。
【０１０４】
統合情報は、ＰＲＳのＤＲＳにおける配置位置を指示する位置情報を含むことが好ましい。さらに、処理回路２１０（例えば再配置部２１２）は位置情報に基づいてＤＲＳを再配置してもよい。
【０１０５】
処理回路２１０（例えば再配置部２１２）は、ＰＲＳを、ＤＲＳにおいて１、２又は４サブフレームを占めるように構成することが好ましい。
【０１０６】
処理回路２１０（例えば再配置部２１２）は、ＰＲＳのサイクルをＤＲＳのサイクルのｎ倍に配置し、ｎが自然数であることが好ましい。
【０１０７】
なお、本開示の実施例によれば、上記のような無線通信システムはＬＴＥ−Ａセルラー通信システムであり、電子デバイス２００は無線通信システムにおける、オフ状態にあるスモールセル基地局であり、また、電子デバイス２００は、エアインターフェースによってＤＲＳを送信するように、送受信機（例えば通信部２２０）を含んでもよい。
【０１０８】
図３には、本開示の実施例による無線通信システムにおける電子デバイス３００の構成が示される。
【０１０９】
図３に示すように、電子デバイス３００は処理回路３１０を含むことができる。なお、電子デバイス３００は一つの処理回路３１０を含んでもよく、複数の処理回路３１０を含んでもよい。また、電子デバイス３００は通信部３２０などを含んでもよい。
【０１１０】
上記のように、同様に、処理回路３１０は、様々な異なる機能及び／又は動作を実行するように、様々な個別の機能部を含んでもよい。これらの機能部は物理エンティティ又は論理エンティティであってもよく、かつ、異なる呼称の部は、同一物理エンティティによって実現してもよい。
【０１１１】
図３に示すように、処理回路３１０は確定部３１１とＰＲＳ再配置部３１２を含むことができる。
【０１１２】
確定部３１１は制御装置からのＰＲＳの再配置情報を確定することができる。ここで、ＰＲＳの再配置情報はスリープスモールセル基地局のＰＲＳ配置補助情報を含んでもよい。
【０１１３】
ＰＲＳ再配置部３１２は、スリープスモールセル基地局のＰＲＳ配置補助情報に基づいてＰＲＳを再配置して、アイドルリソースであるスリープスモールセル基地局のＰＲＳを送信する時間−周波数リソースによりＵＥを位置決めすることができる。
【０１１４】
ＰＲＳ配置補助情報はスリープスモールセル基地局がＰＲＳを送信するリソース粒子に関する具体的な位置情報であることが好ましい。
【０１１５】
ＰＲＳ配置補助情報はスリープスモールセル基地局に関するＰＲＳ構成情報であることが好ましい。
【０１１６】
処理回路３１０（例えばＰＲＳ再配置部３１２）は、さらに以下のような動作を実行することが好ましい。即ち、制御装置からのリソース解放情報を確定し、なお、リソース解放情報は、スリープスモールセル基地局がオンされたことを指示し、リソース解放情報に基づいてＰＲＳを再配置して、スリープスモールセル基地局のＰＲＳを送信する時間−周波数リソースを解放する。
【０１１７】
なお、本開示の実施例によれば、上記のような無線通信システムはＬＴＥ−Ａセルラー通信システムであり、電子デバイス３００は無線通信システムにおける、オン状態にあるスモールセル基地局であり、また、電子デバイス３００は、エアインターフェースによってＰＲＳを送信するように、送受信機（例えば通信部３２０）を含んでもよい。
【０１１８】
次に、無線通信システムにおけるＵＥ側の電子デバイスについて詳細に説明する。図４には本開示の実施例による無線通信システムにおける電子デバイス４００の構成が示される。
【０１１９】
図４に示すように、電子デバイス４００は処理回路４１０を含むことができる。なお、電子デバイス４００は一つの処理回路４１０を含んでもよく、複数の処理回路４１０を含んでもよい。また、電子デバイス４００は通信部４２０などを含んでもよい。
【０１２０】
上記のように、同様に、処理回路４１０は、様々な異なる機能及び／又は動作を実行するように、様々な個別の機能部を含んでもよい。これらの機能部は物理エンティティ又は論理エンティティであってもよく、かつ、異なる呼称の部は、同一物理エンティティによって実現してもよい。
【０１２１】
図４に示すように、処理回路４１０は確定部４１１と、測定部４１２と、生成部４１３とを含むことができる。
【０１２２】
確定部４１１はＵＥの位置決め測定のための補助データを確定することができる。ここで、補助データはスモールセル基地局のＰＲＳの再配置情報を含んでもよい。
【０１２３】
測定部４１２は補助データに基づいてスモールセル基地局が送信したＰＲＳを位置決め測定することができる。
【０１２４】
生成部４１３はスモールセル基地局が送信したＰＲＳを位置決め測定した結果に基づいて位置決め情報を生成して、ＵＥを位置決めすることができる。
【０１２５】
ＰＲＳの再配置情報はアクティブ状態のスモールセル基地局のＰＲＳ送信サイクルを含むことが好ましい。
【０１２６】
ＰＲＳの再配置情報はスリープスモールセル基地局が送信するＤＲＳにおいてＰＲＳを配置することを指示する統合情報を含むことが好ましい。
【０１２７】
処理回路４１０（例えば測定部４１２）はスリープスモールセル基地局のＤＲＳを探測して、それからＰＲＳを抽出して位置決め測定することが好ましい。
【０１２８】
なお、本開示の実施例によれば、上記のような無線通信システムはＬＴＥ−Ａセルラー通信システムであり、電子デバイス４００は無線通信システムにおけるＵＥであり、かつ電子デバイス４００は、ネットワーク機器から位置決め測定補助データを受信しかつネットワーク機器へ位置決め情報を送信するように、送受信機（例えば通信部４２０）を含んでもよい。
【０１２９】
以上、図１〜４を結合して本開示の実施例による無線通信システムにおける電子デバイスについて簡単に説明した。次に、具体的な実施例を結合して、本開示の技術方式についてさらに詳細に説明する。
【０１３０】
まず、スモールセルｏｎ／ｏｆｆ時のリソース調整メカニズムについて説明する。
【０１３１】
１つ又は複数のスモールセルがオフされる場合、そのＰＲＳを送信する時間−周波数リソースがアイドル状態にある。スモールセルが長期にオフされれば、時間−周波数リソースの無駄を招く。そのため、本開示はスモールセルｏｎ／ｏｆｆ時のリソース調整メカニズムを導入して、アイドルのリソースを他のｏｎセル（即ち、オン状態にあるセル）に割り当てて使用することで、そのＰＲＳのカバレッジを増加し、ＵＥのそのＰＲＳに対する受信率を高めて、ＵＥに対するカバーを保証し、ＵＥにより良い位置決め効果を達成させる。このようなリソース調整メカニズムの具体的なステップは以下のように示す。
【０１３２】
１）セル集合の初期調整。まず、例えば位置決めサーバーは一定の範囲内のセル集合（複数のマクロセルからなる集合であってもよく、スモールセル群であってもよく、以下、主にスモールセル集合を例として説明する）、また、セル集合を以下のように配置する。このようなセル集合において、ＰＲＳモードが同じ（即ち、ＰＲＳが同じ周波数オフセットを有する）セルに対して、そのうち一つがＰＲＳを送信する時（又はＰＲＳを送信すべき時）に同じモードの他セルはＰＲＳ沈黙（ＰＲＳ沈黙メカニズム）を保持するように配置する。なお、ＰＲＳモードはセルＩＤに関係があり、例えば、セルＩＤｍｏｄ６が同じセルは同じＰＲＳモードを有する。これによって、他セルがｏｆｆセル（即ち、オフ状態にあるセル）ＰＲＳ信号の時間−周波数リソースを多重使用する時に強い干渉を引き起こさない。
【０１３３】
２）Ｎｅｉｇｈｂｏｕｒ  Ｃｅｌｌ  Ｉｎｆｏ  ｌｉｓｔ（隣接セル情報リスト）の確定。例えばスモールセル群範囲内に位置決めの必要があるＵＥが存在する時、ＵＥ周囲にＰＲＳの測定に利用できる多くのセルが存在する可能性があり、異なる測定セルトポロジーはＵＥの位置決め精度に影響を及ぼす。そのため、位置決めサーバーはＵＥに対応する測定スモールセルを確定し、その後、測定スモールセルの情報をＯＴＤＯＡ  Ｎｅｉｇｈｂｏｕｒ  Ｃｅｌｌ  Ｉｎｆｏ  ｌｉｓｔによってＵＥに送信する必要がある。ＵＥの測定セルは例えば以下のような方法によって確定する。
【０１３４】
まず、ＵＥのサービングセルはＥ−ＣＩＤ（Ｅｎｈａｎｃｅｄ  Ｃｅｌｌ−ＩＤ、拡張セルＩＤ）によってＵＥの大まかな位置とサービングセルに対する方位を確定し、同時に、サービングセルはこれらの大まかな地理情報を位置決めサーバーに送信する。
【０１３５】
位置決めサーバーは各スモールセルの地理位置を取得することができるので、位置決めサーバーは、ＵＥができるだけ全ての測定セルの幾何中心に位置するように、ＵＥの地理位置情報に基づいてこのＵＥに適合する測定セルを選択し、できるだけ多くの測定セルを選択して位置決め精度をさらに向上させる。
【０１３６】
位置決めサーバーは選択された測定セルをＯＴＤＯＡ  Ｎｅｉｇｈｂｏｕｒ  Ｃｅｌｌ  Ｉｎｆｏ  ｌｉｓｔによってＵＥに送信する。
【０１３７】
なお、ＵＥ位置決めが終了した後、位置決めサーバーは、さらに前に取得したＵＥの大まかな地理情報位置決めによりＵＥ位置決め結果が合理的であるかどうかを検証できる。不合理である場合、位置決めサーバーは測定セルを再び選択して、ＵＥに位置決めをやり直すよう知らせることができる。
【０１３８】
３）セル優先順位リストの作成。位置決めサーバーは各位置決めされたＵＥのＯＴＤＯＡ  Ｎｅｉｇｈｂｏｕｒ  Ｃｅｌｌ  Ｉｎｆｏ  ｌｉｓｔを取得した後、このスモールセル集合に対してＰＲＳを送信するセル優先リストを作成し、維持する。
【０１３９】
ここで、スモールセルがＰＲＳ信号を送信する優先順位は各スモールセルＩＤが一定の時間ウィンドウ内において、スモールセル集合カバレッジ内の全てのＵＥのＯＴＤＯＡ  Ｎｅｉｇｈｂｏｕｒ  Ｃｅｌｌ  Ｉｎｆｏ  ｌｉｓｔに現れる回数によって影響を受ける。これにより、スモールセルが全てのＵＥのＯＴＤＯＡ  Ｎｅｉｇｈｂｏｕｒ  Ｃｅｌｌ  Ｉｎｆｏ  ｌｉｓｔに現れる回数が多くなればなるほど、ＰＲＳを送信する優先順位が高くなる。
【０１４０】
４）時間−周波数リソースプールリストのメンテナンス。位置決めサーバー、又は、複数のセルを管理する例えばマクロ基地局によって一つのｏｆｆセルのＰＲＳ信号時間−周波数リソースプールリストをメンテナンスできる。
【０１４１】
Ｎｅｉｇｈｂｏｕｒ  Ｃｅｌｌ  ＩｎｆｏリストにおけるＰＲＳ情報はＰＲＳ帯域幅と、ＰＲＳ配置指標と、ＰＲＳ下りフレーム数と、沈黙情報などの情報を含むことができる。ＰＲＳ情報によって各セルのＰＲＳ時間−周波数リソースブロック、即ち、各セルがＰＲＳを送信する正確な時刻とキャリア周波数を得ることができる。図５（ａ）には、あるセルがある時刻にＰＲＳ、ＣＲＳ、ＰＣＦＩＣＨ（Ｐｈｙｓｉｃａｌ  ｃｏｎｔｒｏｌ  ｆｏｒｍａｔ  ｉｎｄｉｃａｔｏｒ  ｃｈａｎｎｅｌ、物理制御フォーム指示チャネル）／ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ、物理混合自動再送信指示チャネル）／ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）などをベアラするリソースブロックの位置決めサブフレームにおける位置が示され、空白領域内には任意のデータも含まれない。図５（ｂ）に示すように、それからＰＲＳリソースブロックを抽出することができる。
【０１４２】
抽出したｏｆｆセルのＰＲＳ時間−周波数リソースブロックは全てスリープセルのＰＲＳ信号時間−周波数リソースプールに記憶されている。新しいセルがスリープに入ると、そのＰＲＳ時間−周波数リソースブロックをこのリソースプールに置く。一方、スリープセルがオンされると、リソースプールのこのセルに属するＰＲＳ時間−周波数リソースブロックを解放し、オンされたセルは再び以前のＰＲＳモードに従ってＰＲＳを送信する。
【０１４３】
５）スリープセルＰＲＳ時間−周波数リソースブロックの調整。あるスモールセル集合のｏｆｆセルＰＲＳ信号時間−周波数リソースプールが空ではない限り、このスモールセル集合におけるｏｎセルはこのリソースプールの中のＰＲＳ時間−周波数リソースを利用することができる。リソースプールのうちのＰＲＳ時間−周波数リソースはステップ３）で定義されたＰＲＳ送信セル優先順位リストをスモールセル集合におけるｏｎセルに割り当てる。その割り当て案は例えば以下のようになる。
【０１４４】
まず、リソースプールの中の一つ目のＰＲＳ時間−周波数リソースを、優先順位リストで一つ目にランキングされたスモールセルに割り当て、且つ、このセルを割り当て済みにマーキングする。
【０１４５】
その後、リソースプールの中の二つ目のＰＲＳ時間−周波数リソースを優先順位リストで二つ目にランキングされたスモールセルに割り当て、マーキングする；
【０１４６】
リソースプールの中のＰＲＳ時間−周波数リソースが全て割り当てられるまで、以上のステップを繰り返す。
【０１４７】
ＰＲＳ時間−周波数リソースブロックを割り当てる概略図は図５（ｃ）と５（ｄ）に示すようである。スモールセル集合の中のあるｏｎセルに余分なＰＲＳ時間−周波数リソースブロックが割り当てられない時の位置決めサブフレームは図５（ｃ）に示すようである。さらに、このｏｎセルがリソースプール中の一つのＰＲＳ時間−周波数リソースブロックを取得したと仮定し、このＰＲＳ時間−周波数リソースブロックの模式図は図５（ｂ）に示すようである。
【０１４８】
一つの例において、このｏｆｆセルの元のＰＲＳの送信時刻とこのｏｎセルのＰＲＳ信号が同一サブフレームにあれば、ＰＲＳ時間−周波数リソースブロックが割り当てられた位置決めサブフレームは図５（ｄ）に示すようである。
【０１４９】
異なるセルの間のＰＲＳ信号は一般的に同期されるので、上記の場合が多数である。ｏｎセルとｏｆｆセルがＰＲＳを送信するときにＰＲＳ  ｍｕｔｉｎｇメカニズムを採用すれば、例えばこの二つのセルのＰＲＳモードが同じで、この場合、ｏｆｆセルのＰＲＳ時間−周波数リソースブロックが対応する時刻とｏｎセルのＰＲＳ信号は異なるサブフレームにある可能性がある。本開示の例において、このｏｆｆセルのＰＲＳ時間−周波数リソースブロックをＰＲＳモードが同じｏｎセルに割り当て、このｏｎセルの位置決めサブフレーム数は増加し、ＰＲＳ可測性を増加する目的に達することができる。
【０１５０】
ステップ１）における定義によれば、スモールセル集合内において、ＰＲＳモードが同じスモールセルはＰＲＳを送信する時に互いにＰＲＳ  ｍｕｔｉｎｇメカニズムを採用し、そのため、ｏｎセルがｏｆｆセルＰＲＳ信号の時間−周波数リソースを多重使用する時に強い干渉を引き起こさない。
【０１５１】
このリソース調整メカニズムは、スモールセルスリープによる時間−周波数リソースの無駄を避けるとともに、ｏｎスモールセルＰＲＳの伝送リソースを増加させ、ＵＥのＰＲＳに対する受信率を高め、ある程度でＵＥに対するカバーを保証するため、ＰＲＳ信号の可測性を強化して、ＵＥ位置決めの正確性と位置決め速度を高める。
【０１５２】
次に、スリープスモールセルの補助位置決めメカニズムについて説明する。
【０１５３】
あるスモールセルがスリープ状態に入る時、ＰＲＳ信号を送信せず、一部のＵＥがちょうど、正確に位置決めするために、このセルのＰＲＳ信号を必要とする場合がある。そのため、本開示は一定の条件を満たす場合、ＰＲＳをＤＲＳ信号に統合して、位置決めを支援する目的を達成する。さらに、ＤＲＳにおけるＣＲＳも位置決めを支援する。
【０１５４】
スモールセルのスリープ状態で、無線フレームにおける一つ目のサブフレームはＰＳＳ／ＳＳＳを送信し、ＣＳＩ−ＲＳは第２〜５サブフレームにおいて送信される可能性もあり、送信されない可能性もある。位置決めサーバーは一定の規則によってこのスリープスモールセルＰＲＳのオンオフ、サイクル、及び位置配置を決定し、その後、この情報を例えばＳ１シグナリングによって（直接的又はマクロ基地局を介して間接的）このスリープスモールセルに送信する。
【０１５５】
位置決めサーバーは、例えば、メモリにおいて各ｏｆｆスモールセルのために一つの計数器をメンテナンスすることができ、この計数器は、一定の時間内にこのスモールセルが位置決めサーバーの全てのＮｅｉｇｈｂｏｕｒ  Ｃｅｌｌ  Ｉｎｆｏ  ｌｉｓｔにおいて現れる回数Ｎを統計する。
【０１５６】
ＰＲＳのオンオフ条件について、あるＰＲＳ未送信のｏｆｆスモールセルがＮ≧Ｎ０（Ｎ０は例えば実験値によって決定された自然数である）を満たす場合、位置決めサーバーはＰＲＳ配置シグナリングをこのスモールセルに送信する。このスモールセルは次のサイクルでＰＲＳを送信し始める。
【０１５７】
さらに、ＰＲＳを送信するためのあるｏｆｆスモールセルがＮ＜Ｎ０−ΔＮを満たす場合、位置決めサーバーはＰＲＳの送信を停止するシグナリングをこのスモールセルに送信し、このスモールセルは次の信号サイクルでＰＲＳの送信を停止する。なお、ΔＮは固定定数（例えば実験値によって決定される自然数）である。
【０１５８】
あるｏｆｆスモールセルがＰＲＳの送信条件を満たす場合、ＰＲＳ送信の配置方式は例えば以下のようになってもよい。
【０１５９】
Ｎ０≦Ｎ＜Ｎ１（Ｎ１は実験値によって決定された自然数である）場合、ＰＲＳが各ＤＲＳにおける配置が１サブフレームである。
【０１６０】
Ｎ１≦Ｎ＜Ｎ２（Ｎ２は実験値によって決定された自然数である）場合、ＰＲＳが２サブフレームに配置される。
【０１６１】
Ｎ≧Ｎ２かつこのスリープスモールセルがＣＳＩ−ＲＳを送信しない場合、ＰＲＳは４サブフレームに配置され、Ｎ≧Ｎ２かつこのスリープスモールセルがＣＳＩ−ＲＳを送信する場合、ＰＲＳが２サブフレームに配置される。
【０１６２】
上記した例によれば、より多くのＵＥがこのｏｆｆスモールセルのＰＲＳによって位置決めすることに適するほど、このｏｆｆスモールセルの配置されたＤＲＳに含まれるＰＲＳ位置決めサブフレームが多くなり、逆も同じであり、各ＵＥのこのｏｆｆスモールセルのＰＲＳに対する受信率をアップグレードすることができ、これによってもたらす干渉を平衡することができる。
【０１６３】
ＰＲＳは、ＰＳＳ／ＳＳＳ、ＣＲＳ及びＣＳＩ−ＲＳ（存在する場合）が位置するサブフレーム以外の他のサブフレームに配置することができる。そのうち一つの配置方法は、全てのＰＲＳサブフレームが配置されるまで、ｏｆｆスモールセル基地局がＤＲＳの第０サブフレームからＰＲＳを順序に従って各空のサブフレームに置く。
【０１６４】
なお、ＰＲＳサイクルはＤＲＳサイクルのＭ（Ｍ≧１）倍に配置することができる。本開示の技術方式によれば、ＤＲＳの継続時間が最大５ｍｓまで延長されるので、ＤＭＴＣの６ｍｓ配置が変更されず維持される。
【０１６５】
位置決め信号測定を実行する必要のあるＵＥがｏｆｆセルを測定する場合、その測定配置とＤＭＴＣ配置が一致する。十分に強いＣＲＳ信号が測定される時、このＣＲＳ信号はＰＲＳ信号とともに位置決め信号になる。
【０１６６】
上記したメカニズムはスモールセルが多くオフされる時にＵＥを位置決めすることができない欠点を克服し、ＵＥ屋内位置決め性能を満たすと同時に、スリープスモールセルは、依然としてより良い省エネルギー效果を得ることができる。
【０１６７】
以下、さらに図６〜８を参照して本開示の実施例による無線通信システムにおける基地局側とユーザー側との間の信号の交換手順を説明する。
【０１６８】
図６は本開示の実施例による無線通信システムにおいて無線通信を行うための方法のシーケンス図である。図６にはアイドルリソース調整メカニズムのシグナリングフローが示される。
【０１６９】
図６に示すように、まず、位置決めサーバーはスモールセルがＰＲＳを送信する優先順位リスト及びスモールセル集合のＰＲＳ時間−周波数リソースプールをメンテナンスすることができる。
【０１７０】
次に、スモールセル基地局（図６におけるスリープスモールセル基地局）は何らかの理由（上述のように）でスモールセルをオフし、その後、スモールセルｏｆｆ（オフ）情報を位置決めサーバーに送信する。
【０１７１】
スモールセル基地局からのスモールセルｏｆｆ情報を受信した後、位置決めサーバーはｏｆｆスモールセルのＰＲＳを送信する時間−周波数リソースブロックを時間−周波数リソースプールに追加して、リソースプールにおけるアイドルリソースをスモールセル優先順位リストに従って割り当てる。
【０１７２】
次に、位置決めサーバーはアクティブ状態のスモールセル基地局にアイドルリソースが既に割り当てられたスモールセルのＰＲＳ配置補助情報を提供することができる。この情報はｏｆｆスモールセル時間−周波数リソースのシンボル及びサブキャリアの具体的な位置（リソースを明示的に示す）であってもよく、割り当てられたｏｆｆスモールセルのＰＣＩＤ、ｍｕｔｉｎｇなどの情報（暗黙的にＰＣＩＤなどの相応的なリソースとの所定の関係によってリソースを指示する）であってもよい。
【０１７３】
次に、アイドルリソースが割り当てられるアクティブ状態のスモールセル基地局はＰＲＳ測定補助情報をＵＥに送信することができる（例えば、ＰＤＳＣＨが持ち運ぶデータ形態によって送信する）。また、対応するアクティブ状態のスモールセル基地局は新しい配置によってＰＲＳ信号を送信することができる。
【０１７４】
そして、ＵＥは新しい測定補助情報に基づいて対応するアクティブ状態のスモールセル基地局のＰＲＳを送信する。
【０１７５】
その間、スリープスモールセル基地局が再開された時、スリープスモールセル基地局は位置決めサーバーにスモールセルｏｎの情報を送信することができる。
【０１７６】
スモールセルｏｎの情報を受信した後、位置決めサーバーはこのｏｆｆスモールセルのリソースを占有するｏｎスモールセル及び再開されたスモールセルに、元のＰＲＳ配置に従って送信することを通知する、即ち、ｏｎスモールセルは再開されたスモールセルのＰＲＳ伝送リソースを解放して、この再開されたスモールセルによって継続して使用される。
【０１７７】
次に、アクティブ状態のスモールセル基地局は対応するスモールセルＰＲＳ測定補助情報又はリセット指示をＵＥに送信することができる（データ形態）。
【０１７８】
次に、対応するアクティブ状態のスモールセルは前のアイドルリソースを受けていない時の配置によってＰＲＳ信号を送信し、再開されたスモールセルは最初の配置によってＰＲＳ信号を送信することができる。
【０１７９】
次に、ＵＥは新しい測定補助情報又は元の配置によって対応するスモールセルのＰＲＳを測定することができる。
【０１８０】
図７は本開示の他実施例による無線通信システムにおいて無線通信を行うための方法を示すシーケンス図である。図７には、スリープスモールセル補助位置決めメカニズムのシグナリングフローの例が示される。なお、図７に示すようなスリープスモールセル補助位置決めメカニズムと図６に示すようなアイドルリソース調整メカニズムは異なる応用場面に対する。具体的に、アイドルリソース調整メカニズムはスモールセルが長期オフされて時間−周波数リソースの無駄になる場面であって、スリープスモールセル補助位置決めメカニズムは一部のＵＥが正確に位置決めするために、スリープスモールセルのＰＲＳ信号が必要になる場面である。本開示の技術方式において、スリープスモールセル補助位置決めメカニズム又はアイドルリソース調整メカニズムを単独的に使用してもよく、これらのメカニズムを組み合わせて使用することもでき、本開示はこれには特に制限がない。
【０１８１】
図７に示すように、位置決めサーバーはｏｆｆスモールセルのために一つの計数器をメンテナンスして、これによってｏｆｆスモールセルがＤＲＳにおいてＰＲＳを統合するかどうかを確定する。
【０１８２】
その間、マクロセル基地局はスリープスモールセル基地局にＤＲＳ配置を送信する。そして、スリープスモールセル基地局はＤＲＳ信号を送信することができる。
【０１８３】
その後、位置決めサーバーは例えばあるｏｆｆ（スリープ）スモールセルがＰＲＳオン条件を満たすことを確認することができる。そして、位置決めサーバーはこのスリープスモールセル基地局にＰＲＳをオンする要求を送信するとともに、ＰＲＳの連続サブフレーム数とサイクルなどの配置情報を提供することができる。
【０１８４】
次に、スリープスモールセル基地局は配置によってＤＲＳ信号において対応するＰＲＳを挿入することができる。そして、スリープスモールセル基地局は、ＤＲＳにおいてＰＲＳが統合されたことを確認するとともに、位置決めサーバーにＤＲＳ測定補助情報を提供することができる。
【０１８５】
その間に、ＵＥに位置決め需要が生ずる場合、そのサービス基地局例えば参照スモールセル基地局に位置決め補助データ信号を要求することができる（データ形態）。参照スモールセル基地局は位置決めサーバーに位置決め補助データ信号を要求することができる。
【０１８６】
次に、位置決めサーバーは参照スモールセル基地局に位置決め補助データを送信することができる。参照スモールセル基地局はＵＥに位置決め補助データを送信することができる（データ形態）。次の位置決め測定シグナルリング流れは当業者にとって公知であるので、ここで述べない。
【０１８７】
また、位置決めサーバーは計数器の統計値によってＰＲＳの送信をオフすることを決定できる。ＰＲＳの送信をオフすることが決定された場合、位置決めサーバーはスリープスモールセル基地局にＰＲＳをオフするシグナルリングを送信する。
【０１８８】
その後、スリープスモールセル基地局はＰＲＳが含まれないＤＲＳ信号を送信する。
【０１８９】
図８には本開示の他実施例による無線通信システムにおいて無線通信を行うための方法のシーケンス図が示される。図８には、スリープスモールセル補助位置決めメカニズムのシグナルリング流れの別例が示される。なお、図７に示すようなスリープスモールセル補助位置決めメカニズムにおいて、位置決めサーバーはスリープスモールセル基地局と直接的に通信することができて、図８に示すようなスリープスモールセル補助位置決めメカニズムにおいて、位置決めサーバーはマクロセル基地局を介してスリープスモールセル基地局と通信することができる。本開示はこれには特に制限がない。
【０１９０】
図８に示すように、位置決めサーバーは、ｏｆｆスモールセルに一つの計数器をメンテナンスし、これによってｏｆｆスモールセルがＤＲＳにおいてＰＲＳをオンするかどうかを決定する
【０１９１】
その間に、マクロセル基地局はスリープスモールセル基地局にＤＲＳ配置を送信する。その後、スリープスモールセル基地局はＤＲＳ信号を送信することができる。
【０１９２】
その後、位置決めサーバーは例えばあるｏｆｆスモールセルがＰＲＳオン条件を満たすことを確定することができる。そして、位置決めサーバーはマクロセル基地局にＰＲＳをオンするシグナルリングを送信するとともに、ＰＲＳの連続サブフレーム数とサイクルなどの配置情報を提供する。
【０１９３】
次に、マクロセル基地局はスリープスモールセル基地局にＰＲＳが挿入されたＤＲＳ配置情報を提供し、位置決めサーバーにＤＲＳ測定補助情報を提供することができる。
【０１９４】
次に、スリープスモールセル基地局は配置によってＤＲＳ信号において対応するＰＲＳを挿入することができる。
【０１９５】
その間に、ＵＥに位置決めの需要が生ずる場合、参照スモールセル基地局に位置決め補助データ信号を要求することができる（データ形態）。参照スモールセル基地局は位置決めサーバーに位置決め補助データ信号を要求することができる。
【０１９６】
次に、位置決めサーバーは参照スモールセル基地局に位置決め補助データを送信することができる。参照スモールセル基地局はＵＥに位置決め補助データを送信することができる（データ形態）。次の位置決め測定シグナルリング流れは当業者にとって公知であるので、ここで述べない。
【０１９７】
また、位置決めサーバーは計数器の統計値に基づいてＰＲＳ送信のオフを決定することができる。ＰＲＳ送信のオフが決定された場合、位置決めサーバーはマクロセル基地局にＰＲＳをオフするシグナリングを送信する。
【０１９８】
次に、マクロセル基地局はスリープスモールセル基地局にＰＲＳが挿入されていないＤＲＳ配置情報を提供する。
【０１９９】
次に、スリープスモールセル基地局はこの配置に従ってＤＲＳを送信することができる。
【０２００】
次に、本開示の実施例による無線通信システムにおいて無線通信を行うための方法について説明する。
【０２０１】
本開示の実施例による無線通信システムにおいて無線通信を行うための方法は、予定の地理的エリア内のスモールセル基地局のオン／オフ状態を取得し、取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めすることを含んでもよい。
【０２０２】
ＰＲＳの再配置情報はアクティブ状態のスモールセル基地局のＰＲＳ送信サイクルを含むことが好ましい。さらに、この方法は、予定の地理的エリア内のスモールセル基地局に対して予定の地理的エリア内のスリープスモールセル基地局が占める割合に基づいてアクティブ状態のスモールセル基地局のＰＲＳ送信サイクルを調整することを含んでもよい。
【０２０３】
上記した割合が第１閾値より大きい場合、アクティブ状態のスモールセル基地局のＰＲＳ送信サイクルを短縮し、この割合が第２閾値より小さい場合、アクティブ状態のスモールセル基地局のＰＲＳ送信サイクルを増加することが好ましい。
【０２０４】
ＰＲＳの再配置情報は予定の地理的エリア内のスリープスモールセル基地局のＰＲＳの配置補助情報を含むことが好ましい。さらに、この方法は、スリープスモールセル基地局のＰＲＳを送信する時間−周波数リソースをアイドルリソースとしてアクティブ状態のスモールセル基地局に割り当てることを含んでもよい。
【０２０５】
アクティブ状態のスモールセル基地局の優先順位に基づいてアイドルリソースをアクティブ状態のスモールセル基地局に割り当てることが好ましい。
【０２０６】
以下のように優先順位を決定することが好ましい。即ち、各ユーザー機器の大まかな地理位置に基づいて各ユーザー機器を位置決めするためのアクティブ状態のスモールセル基地局を確定し、予定の時間内において各ユーザー機器を位置決めするためのアクティブ状態のスモールセル基地局の出現回数を計数し、計数の結果に基づいて優先順位を決定する。
【０２０７】
ＰＲＳの再配置情報は発見参照信号ＤＲＳにおいてＰＲＳを配置することを指示する統合情報を含むことが好ましい。さらに、この方法は、予定の時間内の各ユーザー機器を位置決めするためのスリープスモールセル基地局の出現回数に基づいて統合情報を生成することを含んでもよい。
【０２０８】
統合情報はＰＲＳのＤＲＳにおける配置位置を指示する位置情報を含むことが好ましい。さらに、この方法はＤＲＳの配置情報に基づいて位置情報を生成することを含んでもよい。
【０２０９】
一方、本開示の他実施例による無線通信システムにおいて無線通信を行うための方法は、制御装置からの位置決め参照信号ＰＲＳの再配置情報を確定し、なお、前記ＰＲＳの再配置情報は、発見参照信号ＤＲＳにおいて前記ＰＲＳを配置することを指示する統合情報を含み、前記統合情報に基づいて前記ＤＲＳを再配置して、ユーザー機器を位置決めすることを含んでもよい。
【０２１０】
統合情報はＰＲＳのＤＲＳにおける配置位置を指示する位置情報を含むことが好ましい。さらに、この方法は、位置情報に基づいてＤＲＳを再配置することを含んでもよい。
【０２１１】
ＰＲＳをＤＲＳにおいて１、２又は４サブフレームを占めるように配置することが好ましい。
【０２１２】
ＰＲＳのサイクルをＤＲＳのサイクルのｎ倍に構成し、ｎが自然数であることが好ましい。
【０２１３】
一方、本開示の他実施例による無線通信システムにおいて無線通信を行うための方法は、制御装置からの位置決め参照信号ＰＲＳの再配置情報を確定し、なお、前記ＰＲＳの再配置情報はスリープスモールセル基地局のＰＲＳ配置補助情報を含み、前記ＰＲＳ配置補助情報に基づいて前記ＰＲＳを再配置して、アイドルリソースである前記スリープスモールセル基地局のＰＲＳを送信する時間−周波数リソースを利用してユーザー機器を位置決めすることを含んでもよい。
【０２１４】
ＰＲＳ配置補助情報はスリープスモールセル基地局がＰＲＳを送信するリソース粒子に関する具体的な位置情報であることが好ましい。
【０２１５】
ＰＲＳ配置補助情報はスリープスモールセル基地局のＰＲＳ配置情報であることが好ましい。
【０２１６】
この方法はさらに、制御装置からのリソース解放情報を確定し、なお、前記リソース解放情報はスリープスモールセル基地局がオンされたことを示し、リソース解放情報に基づいてＰＲＳを再配置して、スリープスモールセル基地局のＰＲＳを送信する時間−周波数リソースを解放するという動作を実行することを含むことが好ましい。
【０２１７】
一方、本開示の他実施例による無線通信システムにおいて無線通信を行うための方法はユーザー機器に使用される位置決め測定補助データを確定し、前記補助データはスモールセル基地局の位置決め参照信号ＰＲＳの再配置情報を含み、前記補助データに基づいて前記スモールセル基地局が送信するＰＲＳを位置決め測定し、前記スモールセル基地局が送信するＰＲＳを位置決め測定した結果に基づいて位置決め情報を生成して、前記ユーザー機器を位置決めすることを含んでもよい。
【０２１８】
ＰＲＳの再配置情報はアクティブ状態のスモールセル基地局のＰＲＳ送信サイクルを含むことが好ましい。
【０２１９】
ＰＲＳの再配置情報はスリープスモールセル基地局が送信する発見参照信号ＤＲＳにおいてＰＲＳを配置することを指示する統合情報を含むことが好ましい。
【０２２０】
この方法は、スリープスモールセル基地局のＤＲＳを探測して、それからＰＲＳを抽出して位置決め測定することを含むことが好ましい。
【０２２１】
本開示の実施例による無線通信システムにおいて無線通信を行うための方法の上述各ステップの各種の具体的な実施形態について以上詳細に説明したので、ここでは説明を繰り返さない。
【０２２２】
本開示の技術は各種の製品に適用することができる。例えば、本開示において言及された位置決めサーバーは例えばタワーサーバー、ラックサーバー及びブレードサーバーなどの任意のタイプのサーバーとして実現される。位置決めサーバーは、サーバー上にインストールされる制御モジュール（例えば、単一チップを含む集積回路モジュール、又はブレードサーバーのスロットに挿入されたカード又はブレード（ｂｌａｄｅ））であってもよい。
【０２２３】
例えば、本開示において言及された基地局は例えばマクロｅＮＢやスモールｅＮＢなどの任意のタイプの進化ノードＢ（ｅＮＢ）として実現されることができる。スモールｅＮＢは、例えばピコｅＮＢ、マイクロｅＮＢと家庭（フェムト）ｅＮＢなどのマクロセルより小さいセルをカバーできるｅＮＢである。代わりに、基地局は、例えばＮｏｄｅＢと基地局トランシーバ（ＢＴＳ）のような任意の他のタイプの基地局として実現されてもよい。基地局は、無線通信を制御するように配置される主体（基地局機器とも呼ばれる）と、主体と異なるところに設けられる１つ又は複数のリモート無線ヘッド（ＲＲＨ）とを含んでもよい。また、後述した各種端末は基地局機能を一時的又は半永久的に実行することによって、基地局として動作できる。
【０２２４】
例えば、本開示において言及されたＵＥは、（例えばスマートフォン、タブレットパーソナルコンピューター（ＰＣ）、ノートＰＣ、携帯ゲーム端末、ポータブル／ドングルモバイルルーターとデジタル撮像装置のような）携帯端末又は（カーナビゲーション装置のような）車載端末として実現される。ＵＥはマシンツーマシン（Ｍ２Ｍ）通信を実行する端末（マシンタイプ通信（ＭＴＣ）端末とも呼ばれる）と実現されてもよい。なお、ＵＥは、上記端末の中の各端末に搭載された無線通信モジュール（例えば単一チップを含む集積回路モジュール）であってもよい。
【０２２５】
図９は、本開示の技術を適用できるサーバー９００の概略構成を示す例のブロック図である。サーバー９００は、プロセッサ９０１、メモリ９０２、記憶装置９０３、ネットワークインターフェース９０４及びバス９０６を含む。
【０２２６】
プロセッサ９０１は例えば、中央演算処理装置（ＣＰＵ）又はデジタル信号プロセッサ（ＤＳＰ）であってもよく、かつサーバー９００を制御する機能を有する。メモリ９０２は、ランダムアクセスメモリ（ＲＡＭ）とリードオンリーメモリ（ＲＯＭ）を含み、データとプロセッサ９０１によって実行されるプログラムが記憶される。記憶装置９０３は半導体メモリやハードディスクなどの記憶媒体を含んでもよい。
【０２２７】
ネットワークインターフェース９０４は、サーバー９００を有線通信ネットワーク７０５に接続するための有線通信インターフェースであってもよい。有線通信ネットワーク７０５は進化型パケットコアネットワーク（ＥＰＣ）のようなコアネットワーク又はインターネットのようなパケットデータネットワーク（ＰＤＮ）であってもよい。
【０２２８】
バス９０６はプロセッサ９０１と、メモリ９０２と、記憶装置９０３と、ネットワークインターフェース９０４とを互いに接続する。バス９０６は、それぞれが異なる速度を有する２つ以上のバス（高速バスと低速バスなど）を含んでもよい。
【０２２９】
図９に示すサーバー９００において、図１を用いて説明した処理回路１１０及びその中の取得部１１１と生成部１１２はプロセッサ９０１によって実現してもよく、図１を用いて説明した通信部１２０はネットワークインターフェース９０４によって実現することができる。例えば、プロセッサ９０１はメモリ９０２又は記憶装置９０３に記憶された命令によってスモールセル基地局のオン／オフ状態の取得機能とＰＲＳ再配置情報生成機能を実現することができる。
【０２３０】
図１０は本開示の技術を用いることができるｅＮＢの概略配置の第１の例を示すブロック図である。ｅＮＢ１０００は１つ又は複数のアンテナ１０１０及び基地局機器１０２０を含む。基地局機器１０２０と各アンテナ１０１０はＲＦケーブルを介して接続されてもよい。
【０２３１】
アンテナ１０１０のそれぞれは単一又は複数のアンテナ素子を含み（例えば多入力多出力（ＭＩＭＯ）アンテナに含まれる複数のアンテナ素子）、基地局機器１０２０の無線信号の送受信に使用される。図１０に示すように、ｅＮＢ１０００は複数のアンテナ１０１０を含んでもよい。例えば、複数のアンテナ１０１０はｅＮＢ１０００に使用される複数の周波数帯域と互換性があり得る。図１０にｅＮＢ１０００が複数のアンテナ１０１０を含む例が示されるが、ｅＮＢ１０００が単一のアンテナ１０１０を含んでもよい。
【０２３２】
基地局機器１０２０は、コントローラ１０２１、メモリ１０２２、ネットワークインターフェース１０２３及び無線通信インターフェース１０２５を含むことができる。
【０２３３】
コントローラ１０２１は例えばＣＰＵ又はＤＳＰであり、かつ、基地局機器１０２０の上位層の各種機能を動作させる。例えば、コントローラ１０２１は無線通信インターフェース１０２５で処理された信号におけるデータに基づいてデータパケットを生成し、ネットワークインターフェース１０２３を介して生成したパケットを伝送する。コントローラ１０２１は複数のベースバンドプロセッサからのデータをバンドルして、バンドルパケットを生成し、生成されたバンドルパケットを伝送することができる。コントローラ１０２１は以下のような制御を実行する論理機能を有してもよく、この制御は例えば、無線リソース制御、無線ベアラ制御、移動管理、受付制御、スケジューリングなどである。この制御は近くのｅＮＢ又はコアネットワークノードと結合して実行することができる。メモリ１０２２はＲＡＭとＲＯＭを含み、コントローラ１０２１が実行するプログラムや各種制御データ（例えば、端末リスト、送信パワーデータ及びスケジューリングデータ）が記憶される。
【０２３４】
ネットワークインターフェース１０２３は基地局機器１０２０をコアネットワーク１０２４の通信インターフェースに接続するためのものである。コントローラ１０２１はネットワークインターフェース１０２３を介してコアネットワークノード又は別のｅＮＢと通信することができる。この場合、ｅＮＢ１０００とコアネットワークノード又は他のｅＮＢとは論理インターフェース（例えばＳ１インターフェースとＸ２インターフェース）によって互いに接続される。ネットワークインターフェース１０２３は有線通信インターフェース又は無線バックホール回線用の無線通信インターフェースであってもよい。ネットワークインターフェース１０２３が無線通信インターフェースであれば、無線通信インターフェース１０２５によって使用される周波数帯域と比べると、ネットワークインターフェース１０２３はより高い周波数帯域を無線通信に使用することができる。
【０２３５】
無線通信インターフェース１０２５は任意のセルラー通信方式（例えば、長期的な進化（ＬＴＥ）とＬＴＥ−Ａｄｖａｎｃｅｄ）をサポートし、アンテナ１０１０を介してｅＮＢ１０００に位置するセルのうち端末の無線接続を提供する。無線通信インターフェース１０２５は通常、例えばベースバンド（ＢＢ）プロセッサ１０２６とＲＦ回路１０２７を含むことができる。ＢＢプロセッサ１０２６は例えば、符号化／復号化、変調／復調、多重化／多重化解除を実行するとともに、レイヤー（例えばＬ１、メディアアクセス制御（ＭＡＣ）、無線リンク制御（ＲＬＣ）、パケットデータアグリゲーションプロトコル（ＰＤＣＰ））の各タイプの信号処理を実行することができる。コントローラ１０２１の代わりに、ＢＢプロセッサ１０２６は上記した論理機能の一部又は全部を有してもよい。ＢＢプロセッサ１０２６は通信制御プログラムが記憶されるメモリであってもよく、或いは、プログラムを実行するように配置されるプロセッサと関連する回路を含むモジュールであってもよい。プログラムの更新はＢＢプロセッサ１０２６の機能を変更させることができる。このモジュールは基地局機器１０２０のスロットに挿入されるカード又はブレッドであってもよい。代わりに、このモジュールはカード又はブレッドに搭載されるチップであってもよい。同時に、ＲＦ回路１０２７は、例えばミキサ、フィルタ、アンプを含んで、アンテナ１０１０を介して無線信号を送受信してもよい。
【０２３６】
図１０に示すように、無線通信インターフェース１０２５は複数のＢＢプロセッサ１０２６を含んでもよい。例えば、複数のＢＢプロセッサ１０２６はｅＮＢ１０００に使用される複数の周波数帯域と互換性があり得る。図１０に示すように、無線通信インターフェース１０２５は複数のＲＦ回路１０２７を含んでもよい。例えば、複数のＲＦ回路１０２７は複数のアンテナ素子と互換性があり得る。図１０には無線通信インターフェース１０２５は複数のＢＢプロセッサ１０２６と複数のＲＦ回路１０２７を含む例を示すが、無線通信インターフェース１０２５は単一のＢＢプロセッサ１０２６又は単一のＲＦ回路１０２７を含んでもよい。
【０２３７】
図１１は本開示の技術を適用できるｅＮＢの概略配置の第二例を示すブロック図である。ｅＮＢ１１３０は１つ又は複数のアンテナ１１４０と、基地局機器１１５０と、ＲＲＨ１１６０とを含む。ＲＲＨ１１６０と各アンテナ１１４０はＲＦケーブルを介して互いに接続することができる。基地局機器１１５０とＲＲＨ１１６０は光ファイバケーブルのような高速回線を介して互いに接続することができる。
【０２３８】
アンテナ１１４０のそれぞれは単一又は複数のアンテナ素子（例えば、ＭＩＭＯアンテナに含まれた複数のアンテナ素子）を含んで、ＲＲＨ１１６０の無線信号の送受信に使用される。図１１に示すように、ｅＮＢ１１３０は複数のアンテナ１１４０を含んでもよい。例えば、複数のアンテナ１１４０はｅＮＢ１１３０によって使用される複数の周波数帯域と互換性があり得る。図１１にｅＮＢ１１３０に複数のアンテナ１１４０が含まれる例を示すが、ｅＮＢ１１３０は単一のアンテナ１１４０を含んでもよい。
【０２３９】
基地局機器１１５０は、コントローラ１１５１と、メモリ１１５２と、ネットワークインターフェース１１５３と、無線通信インターフェース１１５５と、接続インターフェース１１５７とを含む。コントローラ１１５１、メモリ１１５２、ネットワークインターフェース１１５３は図１０を参照して説明したコントローラ１０２１、メモリ１０２２、ネットワークインターフェース１０２３と同じである。
【０２４０】
無線通信インターフェース１１５５は任意のセルラー通信方式（例えばＬＴＥとＬＴＥ−Ａｄｖａｎｃｅｄ）をサポートし、ＲＲＨ１１６０とアンテナ１１４０を介してＲＲＨ１１６０に対応するセクタに位置する端末の無線通信を提供する。無線通信インターフェース１１５５は通常、例えばＢＢプロセッサ１１５６を含んでもよい。ＢＢプロセッサ１１５６が接続インターフェース１１５７を介してＲＲＨ１１６０のＲＦ回路１１６４に接続する以外、ＢＢプロセッサ１１５６と図１０を参照して説明したＢＢプロセッサ１０２６は同じである。図１１に示すように、無線通信インターフェース１１５５は複数のＢＢプロセッサ１１５６を含んでもよい。例えば、複数ＢＢプロセッサ１１５６はｅＮＢ１１３０に使用される複数の周波数帯域と互換性があり得る。図１１に無線通信インターフェース１１５５に複数のＢＢプロセッサ１１５６が含まれる例を示すが、無線通信インターフェース１１５５は単一のＢＢプロセッサ１１５６を含んでもよい。
【０２４１】
接続インターフェース１１５７は基地局機器１１５０（無線通信インターフェース１１５５）をＲＲＨ１１６０に接続するためのインターフェースである。接続インターフェース１１５７は基地局機器１１５０（無線通信インターフェース１１５５）をＲＲＨ１１６０に接続するための上記した高速回線における通信の通信モジュールであってもよい。
【０２４２】
ＲＲＨ１１６０は接続インターフェース１１６１と無線通信インターフェース１１６３を含む。
【０２４３】
接続インターフェース１１６１はＲＲＨ１１６０（無線通信インターフェース１１６３）を基地局機器１１５０に接続するためのインターフェースであってもよい。接続インターフェース１１６１は上述高速回線における通信に使用される通信モジュールであってもよい。
【０２４４】
無線通信インターフェース１１６３はアンテナ１１４０を介して無線信号を送受信する。無線通信インターフェース１１６３は通常、例えばＲＦ回路１１６４を含んでもよい。ＲＦ回路１１６４は例えばミキサ、フィルタ、アンプを含んで、アンテナ１１４０を介して無線信号を送受信してもよい。図１１に示すように、無線通信インターフェース１１６３は複数のＲＦ回路１１６４を含んでもよい。例えば、複数のＲＦ回路１１６４は複数のアンテナ素子をサポートすることができる。図１１に無線通信インターフェース１１６３に複数のＲＦ回路１１６４が含まれる例を示すが、無線通信インターフェース１１６３は単一のＲＦ回路１１６４を含んでもよい。
【０２４５】
図１０と図１１に示すようなｅＮＢ１０００とｅＮＢ１１３０において、図２により説明された処理回路２１０及びその中の確定部２１１と再配置部２１２、及び図３により説明された処理回路３１０及びその中の確定部３１１とＰＲＳ再配置部３１２はコントローラ１０２１及び／又はコントローラ１１５１によって実現することができ、また、図２により説明された通信部２２０及び図３により説明された通信部３２０は無線通信インターフェース１０２５及び無線通信インターフェース１１５５及び／又は無線通信インターフェース１１６３によって実現することができる。機能の少なくとも一部はコントローラ１０２１とコントローラ１１５１によって実現してもよい。例えば、コントローラ１０２１及び／又はコントローラ１１５１は対応するメモリに記憶された命令を実行することによってＰＲＳ再配置情報確定機能とＤＲＳ／ＰＲＳ再配置機能を実行することができる。
【０２４６】
図１２は本開示の技術を適用できるスマートフォン１２００の概略配置の例を示すブロック図である。スマートフォン１２００はプロセッサ１２０１、メモリ１２０２、記憶装置１２０３、外部接続インターフェース１２０４、撮像装置１２０６、センサ１２０７、マイク１２０８、入力装置１２０９、表示装置１２１０、スピーカ１２１１、無線通信インターフェース１２１２、１つ又は複数のアンテナスイッチ１２１５、１つ又は複数のアンテナ１２１６、バス１２１７、電池１２１８及び補助制御装置１２１９を含む。
【０２４７】
プロセッサ１２０１は例えばＣＰＵ又はシステムオンチップ（ＳｏＣ）であり、スマートフォン１２００のアプリケーション層と他の層の機能を制御することができる。メモリ１２０２はＲＡＭとＲＯＭを含み、データとプロセッサ１２０１によって実行されるプログラムが記憶される。記憶装置１２０３は例えば半導体メモリとハードディスクのような記憶媒体を含むことができる。外部接続インターフェース１２０４は外部装置（例えばメモリカードとユニバーサルシリアルバス（ＵＳＢ）装置）をスマートフォン１２００に接続するためのインターフェースである。  
【０２４８】
撮像装置１２０６はイメージセンサー（例えば電荷結合デバイス（ＣＣＤ）と相補型金属酸化物半導体（ＣＭＯＳ））を含み、撮影した画像を生成する。センサ１２０７は例えば測定センサ、ジャイロセンサ、地磁気センサ及び加速度センサのような１組みのセンサを含んでもよい。マイク１２０８はスマートフォン１２００に入力された音をオーディオ信号に変換する。入力装置１２０９は例えば表示装置１２１０のスクリーン上のタッチを検出するように構成されるタッチセンサー、キーパッド、キーボード、ボタン又はスイッチを含み、ユーザーから入力された動作又は情報を受信する。表示装置１２１０はスクリーン（例えば液晶ディスプレイ（ＬＣＤ）と有機発光ダイオード（ＯＬＥＤ）ディスプレイ）を含み、スマートフォン１２００の出力画像を表示する。スピーカ１２１１はスマートフォン１２００から出力したオーディオ信号を音に変換する。
【０２４９】
無線通信インターフェース１２１２は任意のセルラー通信方式（例えば、ＬＴＥとＬＴＥ−Ａｄｖａｎｃｅｄ）をサポートし、無線通信を実行する。無線通信インターフェース１２１２は通常、例えばＢＢプロセッサ１２１３とＲＦ回路１２１４を含むことができる。ＢＢプロセッサ１２１３は例えば、符号化／復号化、変調／復調、多重化／多重化解除を実行するとともに、無線通信のための各種のタイプの信号処理を実行することができる。同時に、ＲＦ回路１２１４は例えばミキサ、フィルタ、アンプを含んで、アンテナ１２１６を介して無線信号を送受信することができる。無線通信インターフェース１２１２はその上にＢＢプロセッサ１２１３とＲＦ回路１２１４が集積化される一つのチップモジュールであってもよい。図１２に示すように、無線通信インターフェース１２１２は複数のＢＢプロセッサ１２１３と複数のＲＦ回路１２１４を含んでもよい。図１２に、無線通信インターフェース１２１２に複数のＢＢプロセッサ１２１３と複数のＲＦ回路１２１４が含まれる例を示すが、無線通信インターフェース１２１２は単一のＢＢプロセッサ１２１３又は単一のＲＦ回路１２１４を含んでもよい。
【０２５０】
なお、セルラー通信方式の以外、無線通信インターフェース１２１２は、例えば短距離無線通信方式、近接通信方式と無線ローカルネットワーク（ＬＡＮ）方式などの別タイプの無線通信方式をサポートすることができる。この場合、無線通信インターフェース１２１２は各種の無線通信方式に対するＢＢプロセッサ１２１３とＲＦ回路１２１４を含んでもよい。
【０２５１】
アンテナスイッチ１２１５のそれぞれは無線通信インターフェース１２１２に含まれる複数の回路（例えば異なる無線通信方式に使用される回路）間でアンテナ１２１６の接続先を切り替える。
【０２５２】
アンテナ１２１６のそれぞれは単一又は複数のアンテナ素子（例えばＭＩＭＯアンテナに含まれた複数のアンテナ素子）を含んで、無線通信インターフェース１２１２の無線信号の送受信に使用される。図１２に示すように、スマートフォン１２００は複数のアンテナ１２１６を含んでもよい。図１２に、スマートフォン１２００に複数のアンテナ１２１６が含まれる例を示すが、スマートフォン１２００は単一のアンテナ１２１６を含んでもよい。
【０２５３】
なお、スマートフォン１２００は各種の無線通信方式に対するアンテナ１２１６を含んでもよい。この場合に、アンテナスイッチ１２１５はスマートフォン１２００の配置から省略されてもよい。
【０２５４】
バス１２１７はプロセッサ１２０１、メモリ１２０２、記憶装置１２０３、外部接続インターフェース１２０４、撮像装置１２０６、センサ１２０７、マイク１２０８、入力装置１２０９、表示装置１２１０、スピーカ１２１１、無線通信インターフェース１２１２及び補助制御装置１２１９を互いに接続する。電池１２１８は給電線によって図１２に示すスマートフォン１２００の各ブロックに電力を提供し、給電線は図面において部分的に点線によって表される。補助制御装置１２１９は例えば睡眠モードでスマートフォン１２００の最少の必要な機能を操作する。
【０２５５】
図１２に示すスマートフォン１２００では、図４により説明された処理回路４１０及びその中の確定部４１１と、測定部４１２と、生成部４１３はプロセッサ１２０１又は補助制御装置１２１９によって実現することができ、さらに、図４により説明された通信部４２０は無線通信インターフェース１２１２によって実現することができる。機能の少なくとも一部はプロセッサ１２０１又は補助制御装置１２１９によって実現してもよい。例えば、プロセッサ１２０１又は補助制御装置１２１９はメモリ１２０２又は記憶装置１２０３に記憶された命令を実行することによって、位置決め測定補助データ確定機能、位置決め測定機能と位置決め情報生成機能を実行することができる。
【０２５６】
図１３は本開示の技術を適用できるカーナビゲーション装置１３２０の概略構成の例を示すブロック図である。カーナビゲーション装置１３２０はプロセッサ１３２１、メモリ１３２２、全球位置決めシステム（ＧＰＳ）モジュール１３２４、センサ１３２５、データインターフェース１３２６、コンテンツプレーヤー１３２７、記憶媒体インターフェース１３２８、入力装置１３２９、表示装置１３３０、スピーカ１３３１、無線通信インターフェース１３３３、１つ又は複数のアンテナスイッチ１３３６、１つ又は複数のアンテナ１３３７及び電池１３３８を含む。
【０２５７】
プロセッサ１３２１は例えばＣＰＵ又はＳｏＣであり、カーナビゲーション装置１３２０のナビゲーション機能と他の機能を制御することができる。メモリ１３２２はＲＡＭとＲＯＭを含み、データとプロセッサ１３２１によって実行されたプログラムを記憶する。
【０２５８】
ＧＰＳモジュール１３２４はＧＰＳ衛星から受信したＧＰＳ信号を使用してカーナビゲーション装置１３２０の位置（例えば、緯度、経度、高度）を測定する。センサ１３２５は例えばジャイロセンサ、地磁気センサ及び気圧センサなどの１組みのセンサを含んでもよい。データインターフェース１３２６は図示しない端末を介して例えば車のネットワーク１３４１に接続し、車両が生成したデータ（例えば、車速データ）を取得する。
【０２５９】
コンテンツプレーヤー１３２７は記憶媒体（例えば、ＣＤとＤＶＤ）に記憶されたコンテンツを再生して、この記憶媒体は記憶媒体インターフェース１３２８に挿入される。入力装置１３２９は例えば表示装置１３３０のスクリーン上のタッチを検出するように構成されるタッチセンサー、ボタン又はスイッチを含み、ユーザーから入力された動作又は情報を受信する。表示装置１３３０は例えばＬＣＤやＯＬＥＤディスプレイのスクリーンを含み、ナビゲーション機能の画像又は再生されたコンテンツを表示する。スピーカ１３３１はナビゲーション機能の音又は再生されたコンテンツを出力する。
【０２６０】
無線通信インターフェース１３３３は任意のセルラー通信方式（例えば、ＬＴＥとＬＴＥ−Ａｄｖａｎｃｅｄ）をサポートし、無線通信を実行することができる。無線通信インターフェース１３３３は通常、例えばＢＢプロセッサ１３３４とＲＦ回路１３３５を含むことができる。ＢＢプロセッサ１３３４は、例えば符号化／復号化、変調／復調、及び多重化／多重化解除を実行するとともに、無線通信に使用される各種のタイプの信号処理を実行することができる。同時に、ＲＦ回路１３３５は例えばミキサ、フィルタ、アンプを含んで、アンテナ１３３７を介して無線信号を送受信することができる。無線通信インターフェース１３３３はその上にＢＢプロセッサ１３３４とＲＦ回路１３３５が集積化される一つのチップモジュールであってもよい。図１３に示すように、無線通信インターフェース１３３３は複数のＢＢプロセッサ１３３４と複数のＲＦ回路１３３５を含んでもよい。図１３に、無線通信インターフェース１３３３に複数のＢＢプロセッサ１３３４と複数のＲＦ回路１３３５が含まれた例を示すが、無線通信インターフェース１３３３は単一のＢＢプロセッサ１３３４又は単一のＲＦ回路１３３５を含んでもよい。
【０２６１】
なお、セルラー通信方式の以外、無線通信インターフェース１３３３は、例えば短距離無線通信方式、近接通信方式と無線ＬＡＮ方式などの別タイプの無線通信方式をサポートすることができる。この場合、各種の無線通信方式に対して、無線通信インターフェース１３３３はＢＢプロセッサ１３３４とＲＦ回路１３３５を含んでもよい。
【０２６２】
アンテナスイッチ１３３６のそれぞれは無線通信インターフェース１３３３に含まれる複数の回路（例えば異なる無線通信方式に使用される回路）間でアンテナ１３３７の接続先を切り替える。
【０２６３】
アンテナ１３３７のそれぞれは単一又は複数のアンテナ素子（例えばＭＩＭＯアンテナに含まれる複数のアンテナ素子）を含み、無線通信インターフェース１３３３の無線信号の送受信に使用される。図１３に示すように、カーナビゲーション装置１３２０は複数のアンテナ１３３７を含んでもよい。図１３に、カーナビゲーション装置１３２０に複数のアンテナ１３３７が含まれる例を示すが、カーナビゲーション装置１３２０は単一のアンテナ１３３７を含んでもよい。
【０２６４】
なお、カーナビゲーション装置１３２０は各種の無線通信方式に対するアンテナ１３３７を含んでもよい。この場合、アンテナスイッチ１３３６はカーナビゲーション装置１３２０の配置から省略されてもよい。
【０２６５】
電池１３３８は給電線によって図１３に示すカーナビゲーション装置１３２０の各ブロックに電力を提供し、給電線は図面において部分的に点線によって表される。電池１３３８は車両から提供した電力を蓄積する。
【０２６６】
図１３に示すカーナビゲーション装置１３２０では、図４により説明された処理回路４１０及びその中の確定部４１１、測定部４１２、生成部４１３はプロセッサ１３２１によって実現することができ、また、図４により説明された通信部４２０は無線通信インターフェース１３３３によって実現することができる。機能の少なくとも一部はプロセッサ１３２１によって実現することができる。例えば、プロセッサ１３２１はメモリ１３２２に記憶された命令を実行することによって位置決め測定補助データ確定機能、位置決め測定機能、位置決め情報生成機能を実行することができる。
【０２６７】
本開示の技術はカーナビゲーション装置１３２０、車のネットワーク１３４１及び車両モジュール１３４２のうち１つ又は複数のブロックが含まれたカーシステム（又は車両）１３４０として実現されてもよい。車両モジュール１３４２は車両データ（例えば車速、エンジン速度、故障情報）を生成して、生成されたデータを車のネットワーク１３４１に出力する。
【０２６８】
本開示のシステムと方法では、各構成要素又は各ステップが分解及び／又は再結合することができることは明らかである。これらの分解及び／又は再結合は本開示の均等の方式とみなすべきである。さらに、上記した一連の処理を実行するステップは当然、説明の順序に沿って時系列に実行することができるが、必ずしも時系列に実行される必要はない。いくつかのステップは並行的又は互いに独立に実行されてもよい。
【０２６９】
以上、図面を結合して本開示の実施例について詳細に説明したが、上記した実施形態は本開示を説明するためのものであり、本開示を限定するものではないと理解すべきである。当業者にとって、本開示の精神および範囲から逸脱することがなく、上記した実施形態に対して、様々な修正及び変更が可能である。そのため、本開示の範囲は添付した特許請求の範囲及びその等価物のみによって限定される。
【図１】
2018517357.tif 000006
【図２】
2018517357.tif 000007
【図３】
2018517357.tif 000008
【図４】
2018517357.tif 000009
【図５（ａ）】
2018517357.tif 000010
【図５（ｂ）】
2018517357.tif 000011
【図５（ｃ）】
2018517357.tif 000012
【図５（ｄ）】
2018517357.tif 000013
【図６】
2018517357.tif 000014
【図７】
2018517357.tif 000015
【図８】
2018517357.tif 000016
【図９】
2018517357.tif 000017
【図１０】
2018517357.tif 000018
【図１１】
2018517357.tif 000019
【図１２】
2018517357.tif 000020
【図１３】
2018517357.tif 000021
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
１つ又は複数の処理回路を備え、
前記処理回路は、
予定の地理的エリア内のスモールセル基地局のオン／オフ状態を取得し、
取得したスモールセル基地局のオン／オフ状態に基づいて、前記予定の地理的エリア内のスモールセル基地局に使用される位置決め参照信号ＰＲＳの再配置情報を生成して、前記予定の地理的エリア内のユーザー機器を位置決めする、という動作を実行するように配置されている、無線通信システムにおける電子デバイス。
【請求項２】
前記ＰＲＳの再配置情報は、アクティブ状態のスモールセル基地局のＰＲＳ送信サイクルを含み、
前記処理回路は、さらに、前記予定の地理的エリア内のスモールセル基地局に対して前記予定の地理的エリア内のスリープスモールセル基地局が占める割合に基づいて、前記アクティブ状態のスモールセル基地局のＰＲＳ送信サイクルを調整するように配置されている、請求項１に記載の電子デバイス。
【請求項３】
前記処理回路は、前記割合が第１閾値より大きい場合に、前記アクティブ状態のスモールセル基地局のＰＲＳ送信サイクルを短縮し、前記割合が第２閾値より小さい場合に、前記アクティブ状態のスモールセル基地局のＰＲＳ送信サイクルを増加する、請求項２に記載の電子デバイス。
【請求項４】
前記ＰＲＳの再配置情報は、前記予定の地理的エリア内のスリープスモールセル基地局のＰＲＳの配置補助情報を含み、
前記処理回路は、さらに、前記スリープスモールセル基地局のＰＲＳを送信する時間周波数リソースをアイドルリソースとして、アクティブ状態のスモールセル基地局に割り当てるように配置されている、請求項１に記載の電子デバイス。
【請求項５】
前記処理回路は、前記アクティブ状態のスモールセル基地局の優先順位に基づいて、前記アイドルリソースを前記アクティブ状態のスモールセル基地局に割り当てる、請求項４に記載の電子デバイス。
【請求項６】
前記処理回路は、次のように前記優先順位を確定し、
各ユーザー機器の大まかな地理位置に基づいて、各ユーザー機器を位置決めするためのアクティブ状態のスモールセル基地局を確定し、
予定の時間内において、各ユーザー機器を位置決めするためのアクティブ状態のスモールセル基地局の出現回数を計数し、
計数の結果に基づいて、前記優先順位を確定する、請求項５に記載の電子デバイス。
【請求項７】
前記ＰＲＳの再配置情報は、発見参照信号ＤＲＳにおいて前記ＰＲＳを配置することを指示する統合情報を含み、
前記処理回路は、さらに、予定の時間内における各ユーザー機器を位置決めするためのスリープスモールセル基地局の出現回数に基づいて、前記統合情報を生成するように配置されている、請求項１に記載の電子デバイス。
【請求項８】
前記統合情報は、前記ＰＲＳの前記ＤＲＳにおける配置位置を指示する位置情報を含み、
前記処理回路は、さらに、前記ＤＲＳの配置情報に基づいて、前記位置情報を生成するように配置されている、請求項７に記載の電子デバイス。
【請求項９】
前記電子デバイスは、コアネットワークにおける位置決めサーバーである、請求項１〜請求項８のいずれか１項に記載の電子デバイス。
【請求項１０】
１つ又は複数の処理回路を備え、
前記処理回路は、
制御装置からの位置決め参照信号ＰＲＳの再配置情報を確定し、なお、前記ＰＲＳの再配置情報は、発見参照信号ＤＲＳにおいて前記ＰＲＳを配置することを指示する統合情報を含み、
前記統合情報に基づいて前記ＤＲＳを再配置して、ユーザー機器を位置決めする、という動作を実行するように配置されている、無線通信システムにおける電子デバイス。
【請求項１１】
前記統合情報は、前記ＰＲＳの前記ＤＲＳにおける配置位置を指示する位置情報を含み、
前記処理回路は、さらに、前記位置情報に基づいて、前記ＤＲＳを再配置するように配置されている、請求項１０に記載の電子デバイス。
【請求項１２】
前記処理回路は、前記ＰＲＳを、前記ＤＲＳにおいて１、２、又は４サブフレームを占めるように配置する、請求項１０に記載の電子デバイス。
【請求項１３】
前記処理回路は、前記ＰＲＳのサイクルを、前記ＤＲＳのサイクルのｎ倍に配置し、ｎは自然数である、請求項１０に記載の電子デバイス。
【請求項１４】
前記電子デバイスは、オフ状態にあるスモールセル基地局であって、且つ、エアインターフェースによって前記ＤＲＳを送信するように配置されている送受信機をさらに含む、請求項１０〜請求項１３のいずれか１項に記載の電子デバイス。
【請求項１５】
１つ又は複数の処理回路を備え、
前記処理回路は、
制御装置からの位置決め参照信号ＰＲＳの再配置情報を確定し、なお、前記ＰＲＳの再配置情報は、スリープスモールセル基地局のＰＲＳ配置補助情報を含み、
前記ＰＲＳ配置補助情報に基づいて前記ＰＲＳを再配置して、アイドルリソースである前記スリープスモールセル基地局のＰＲＳを送信する時間周波数リソースを利用してユーザー機器を位置決めする、という動作を実行するように配置されている、無線通信システムにおける電子デバイス。
【請求項１６】
前記ＰＲＳ配置補助情報は、前記スリープスモールセル基地局がＰＲＳを送信するリソース粒子に関する具体的な位置情報である、請求項１５に記載の電子デバイス。
【請求項１７】
前記ＰＲＳ配置補助情報は、前記スリープスモールセル基地局に関するＰＲＳ配置情報である、請求項１５に記載の電子デバイス。
【請求項１８】
前記処理回路は、さらに、
前記制御装置からのリソース解放情報を確定し、なお、前記リソース解放情報は、前記スリープスモールセル基地局がオンされたことを指示し、
前記リソース解放情報に基づいて前記ＰＲＳを再配置して、前記スリープスモールセル基地局のＰＲＳを送信する時間周波数リソースを解放する、という動作を実行するように配置されている、請求項１５に記載の電子デバイス。
【請求項１９】
前記電子デバイスは、オン状態にあるスモールセル基地局であって、且つ、エアインターフェースによって前記ＰＲＳを送信するように配置されている送受信機をさらに含む、請求項１５〜請求項１８のいずれか１項に記載の電子デバイス。
【国際調査報告】
2018517357.tif 000022
2018517357.tif 000023
2018517357.tif 000024
2018517357.tif 000025
2018517357.tif 000026
2018517357.tif 000027
2018517357.tif 000028
2018517357.tif 000029